(57)【要約】末梢ＩＶ療法のための教育的ガイダンスをユーザに提供するためのコンピュータで実施される方法およびアプリケーションが、説明される。一例においては、末梢ＩＶ療法のための教育的ガイダンスを提供するためのコンピュータで実施される方法は、複数の人物プロファイルを含むメインメニューを、機械のディスプレイ上に表示するステップと、複数の人物プロファイルのうちの１つの人物プロファイルを選択するように、機械がユーザに促すステップと、選択された人物プロファイルに基づいて、挿入部位を、人の付属肢上の複数の挿入部位から選択するように、機械がユーザに促すステップと、複数の製品カテゴリから、第１の製品カテゴリを選択するように、機械がユーザに促すステップと、第１の製品カテゴリ内の複数の製品のうちの第１の製品を選択するように、機械がユーザに促すステップであって、第１の製品は、選択された人物プロファイルに少なくとも部分的に基づいて、複数の製品のうちの最も適切な製品である、ステップとを含む。
2021524313.tif 000002
【特許請求の範囲】
【請求項１】
末梢ＩＶ療法のための教育的ガイダンスを提供するためのコンピュータで実施される方法であって、
複数の人物プロファイルを含むメインメニューを、機械のディスプレイ上に表示するステップと、
前記複数の人物プロファイルのうちの１つの人物プロファイルを選択するように、前記機械によって、ユーザに促すステップと、
前記選択された人物プロファイルに基づいて、ＩＶカテーテルを挿入するための人の付属肢上の複数の挿入部位から、挿入部位を選択するように、前記機械によって、前記ユーザに促すステップと、
前記人の付属肢上の前記選択された挿入部位に、前記機械に動作可能に結合されたステッカを位置付けるように、前記機械によって、前記ユーザに命令するステップと、
前記選択された挿入部位における前記ステッカの配置を示すユーザインターフェースを、前記ディスプレイ上に表示するステップと、
前記選択された挿入部位が、好ましい挿入部位であるか、それとも好ましくない挿入部位であるかを、前記機械によって、決定するステップと
を含む方法。
【請求項２】
前記選択された挿入部位が、前記好ましくない挿入部位である場合、前記方法は、
前記選択された挿入部位の第１のグラフィカル画像を、前記機械の処理デバイスによって、レンダリングするステップと、
前記第１のグラフィカル画像を、前記ディスプレイ上に表示するステップと、
前記選択された挿入部位と関連付けられた１つまたは複数の合併症を、前記ディスプレイ上に表示するステップと
をさらに含む請求項１に記載の方法。
【請求項３】
前記選択された合併症に関するさらなる情報のために、前記１つまたは複数の合併症のうちの１つの合併症を選択するように、前記ユーザに促すステップと、
前記選択された合併症を示す、前記人の腕の第２のグラフィカル画像を、前記機械の前記処理デバイスによって、レンダリングするステップと
をさらに含む請求項２に記載の方法。
【請求項４】
前記第２のグラフィカル画像を、前記ディスプレイ上のユーザインターフェース上に表示するステップをさらに含み、前記ユーザインターフェースは、前記選択された合併症の定義と、前記選択された合併症と関連付けられたリスクのインジケーションとを示す、情報テキストを含む請求項３に記載の方法。
【請求項５】
前記ユーザインターフェースは、前記選択された合併症の１つまたは複数の影響を例示する、追加のグラフィカル画像をさらに含む請求項４に記載の方法。
【請求項６】
前記選択された挿入部位が、前記好ましい挿入部位である場合、前記方法は、
前記選択された挿入部位のグラフィカル画像を、前記機械の前記処理デバイスによって、レンダリングするステップと、
前記ユーザが前記好ましい挿入部位を正しく選択したことを示すグラフィカル画像を、前記ディスプレイ上のユーザインターフェース上に表示するステップと
をさらに含む請求項１に記載の方法。
【請求項７】
前記ユーザインターフェースは、前記選択された挿入部位が、末梢ＩＶカテーテルのための前記好ましい挿入部位である理由を前記ユーザに示す、情報テキストをさらに含む請求項６に記載の方法。
【請求項８】
前記好ましい挿入部位における前記ステッカの配置を示すユーザインターフェースを、前記ディスプレイ上に表示するステップと、
前記好ましい挿入部位に適切に位置付けられた前記ステッカを用いて、適切な末梢ＩＶ療法についてより多く学習することに前記ユーザが関心があるかどうかを、前記機械によって、前記ユーザに問い合わせるステップと
をさらに含む請求項６に記載の方法。
【請求項９】
適切な末梢ＩＶ療法についてより多く学習することに前記ユーザが関心があるかどうかを、前記機械によって、前記ユーザに問い合わせるステップと、
適切な末梢ＩＶ療法についてより多くを学習することに前記ユーザが関心があることを示すインジケーションがあれば、前記ディスプレイ上に表示された複数の学習トピックのうちの１つの学習トピックを選択するように、前記機械によって、前記ユーザに促すステップと、
前記選択された学習トピックに関する情報を、前記ディスプレイ上において提供するステップと
をさらに含む請求項１に記載の方法。
【請求項１０】
前記１つまたは複数の学習トピックは、適切なＩＶカテーテル選択のための考慮事項と、ＩＶカテーテルを適切に挿入するための指図情報と、ＩＶカテーテルに適切にアクセスし、メンテナンスするための指図情報とを含む請求項９に記載の方法。
【請求項１１】
前記選択された学習トピックに関する情報を前記ディスプレイ上において提供するステップは、前記１つまたは複数の学習トピックのうちの選択された学習トピックに関連するベストプラクティスを例示するビデオを、前記ディスプレイ上に表示するステップを含む請求項９に記載の方法。
【請求項１２】
末梢ＩＶ療法のための教育的ガイダンスをユーザに提供するためのコンピュータで実施される方法であって、
学習プログラムを開始するためのユーザからの要求を、機械によって、受信するステップと、
複数の人物プロファイルを含むメインメニューを、前記機械のディスプレイ上に表示するステップと、
前記複数の人物プロファイルのうちの第１の人物プロファイルを選択するように、前記ユーザに促すステップと、
前記第１の人物プロファイルに基づいて、ＩＶを挿入するための人の付属肢上の複数の挿入部位を、前記ディスプレイ上に表示するステップであって、前記複数の挿入部位は、好ましい挿入部位と、好ましくない挿入部位とを含む、ステップと、
前記ＩＶカテーテルを挿入するための人の付属肢上の複数の挿入部位から第１の挿入部位を選択するように、前記機械によって、前記ユーザに促すステップと、
前記選択された挿入部位に対応する前記人の付属肢上に、前記機械に動作可能に結合されたステッカを位置付けるように、前記機械によって、前記ユーザに命令するステップと、
前記選択された挿入部位が好ましくない挿入部位であると、前記機械によって、決定するステップと
を含む方法。
【請求項１３】
前記選択された挿入部位の第１のグラフィカル画像を、前記機械の処理デバイスによって、レンダリングするステップと、
前記選択された挿入部位における前記ステッカの配置を示す、前記第１のグラフィカル画像を含むユーザインターフェースを、前記ディスプレイ上に表示するステップと、
前記選択された挿入部位と関連付けられた１つまたは複数の合併症を、前記ディスプレイ上に表示するステップと
をさらに含む請求項１２に記載の方法。
【請求項１４】
前記選択された挿入部位と関連付けられた１つまたは複数の合併症を、前記ディスプレイ上に表示するステップは、
前記１つまたは複数の合併症のうちの少なくとも１つの合併症を示す、前記人の腕の第２のグラフィカル画像を、前記処理デバイスによって、レンダリングするステップと、
前記第２のグラフィカル画像を、前記ディスプレイ上の前記ユーザインターフェース上に表示するステップと
を含む請求項１３に記載の方法。
【請求項１５】
前記ユーザインターフェースは、前記少なくとも１つの合併症の定義と、前記少なくとも１つの合併症と関連付けられたリスクのインジケーションとを示す、情報テキストを含む請求項１４に記載の方法。
【請求項１６】
前記ユーザインターフェースは、前記少なくとも１つの合併症の１つまたは複数の影響を例示する、追加のグラフィカル画像を含む請求項１４に記載の方法。
【請求項１７】
末梢ＩＶ療法のための教育的ガイダンスをユーザに提供するためのコンピュータで実施される方法であって、
学習プログラムを開始するためのユーザからの要求を、機械によって、受信するステップと、
ＩＶを挿入するための人物の付属肢上の複数の挿入部位を、機械のディスプレイ上に表示すステップであって、前記複数の挿入部位は、好ましい挿入部位と、好ましくない挿入部位とを含む、ステップと、
前記複数の挿入部位から第１の挿入部位を選択するように、前記機械によって、前記ユーザに促すステップと、
前記選択された挿入部位に対応する前記人の付属肢上に、前記機械に動作可能に結合されたステッカを位置付けるように、前記機械によって、前記ユーザに命令するステップと、
前記選択された挿入部位が、好ましくない挿入部位であると、前記機械によって、決定するステップと、
前記選択された挿入部位に関する情報を、前記ディスプレイ上に表示するステップと
を含む方法。
【請求項１８】
前記選択された挿入部位の第１のグラフィカル画像を、前記機械の処理デバイスによって、レンダリングするステップと、
前記第１のグラフィカル画像を、前記ディスプレイ上に表示するステップと、
前記選択された好ましくない挿入部位と関連付けられた１つまたは複数の合併症を、前記ディスプレイ上に表示するステップと
をさらに含む請求項１７に記載の方法。
【請求項１９】
選択された合併症に関するさらなる情報のために、前記１つまたは複数の合併症のうちの１つの合併症を選択するように、前記ユーザに促すステップと、
前記選択された合併症を示す、前記人の腕の第２のグラフィカル画像を、前記機械の前記処理デバイスによって、レンダリングするステップと
をさらに含む請求項１８に記載の方法。
【請求項２０】
前記第２のグラフィカル画像を、前記ディスプレイ上のユーザインターフェース上に表示するステップをさらに含み、前記ユーザインターフェースは、前記選択された合併症の定義と、前記選択された合併症と関連付けられたリスクのインジケーションとを示す、情報テキストを含む請求項１９に記載の方法。
【請求項２１】
前記ユーザインターフェースは、前記選択された合併症の１つまたは複数の影響を例示する、追加のグラフィカル画像をさらに含む請求項１９に記載の方法。
【請求項２２】
ＩＶを挿入するための人の付属器上の複数の挿入部位を、機械のディスプレイ上に表示する前に、複数の人物プロファイルを含むメインメニューを、前記ディスプレイ上に表示するステップと、
前記複数の人物プロファイルのうちの第１の人物プロファイルを選択するように、前記ユーザに促すステップと、
前記第１の人物プロファイルに基づいて、ＩＶを挿入するための人の付属肢上の前記複数の挿入部位を、前記ディスプレイ上に表示するステップと
をさらに含む請求項１７に記載の方法。
【請求項２３】
適切な末梢ＩＶ療法についてより多く学習することに前記ユーザが関心があるかどうかを、前記機械によって、前記ユーザに問い合わせるステップと、
適切な末梢ＩＶ療法についてより多く学習することに前記ユーザが関心があると、前記機械によって、決定するステップと、
前記ディスプレイ上に表示された複数の学習トピックのうちの１つの学習トピックを選択するように、前記機械によって、前記ユーザに促すステップと、
前記選択された学習トピックに関する情報を、前記ディスプレイ上において提供するステップと
をさらに含む請求項１７に記載の方法。
【請求項２４】
末梢ＩＶ療法のための教育的ガイダンスを提供するためのコンピュータで実施される方法であって、
複数の人物プロファイルを含むメインメニューを、機械のディスプレイ上に表示するステップと、
前記複数の人物プロファイルのうちの１つの人物プロファイルを選択するように、前記機械によって、ユーザに促すステップと、
前記選択された人物プロファイルに基づいて、人の付属肢上の複数の挿入部位から、挿入部位を選択するように、前記機械によって、前記ユーザに促すステップと、
複数の製品カテゴリから、第１の製品カテゴリを選択するように、前記機械によって、前記ユーザに促すステップと、
前記第１の製品カテゴリ内の複数の製品のうちの第１の製品を選択するように、前記機械によって、前記ユーザに促すステップであって、前記第１の製品は、前記選択された人物プロファイルに少なくとも部分的に基づいて、前記複数の製品のうちの最も適切な製品である、ステップと
を含む方法。
【請求項２５】
複数のラインアクセスプロセスステップを含む、メインラインアクセスプロセスメニューを、前記機械によって、前記ユーザに提示するステップと、
複数のラインアクセスプロセスステップを、最も適切な順番で、前記ディスプレイ上に表示された複数のラインアクセスプロセスステップロケーション内に配置するように、前記機械によって、前記ユーザに促すステップと、
前記最も適切な順番についての前記ユーザの選択の再検討を開始するように、前記機械によって、前記ユーザに促すステップと
をさらに含む請求項２４に記載のコンピュータで実施される方法。
【請求項２６】
前記ユーザが、前記複数のラインアクセスプロセスステップを、前記最も適切な順番で、ひとたび配置すると、前記選択された挿入部位にステッカを位置付けるように、前記機械によって、前記ユーザに命令するステップと、
前記選択された挿入部位における前記ステッカの配置を示すユーザインターフェースを、前記機械によって、表示するステップと
をさらに含む請求項２５に記載のコンピュータで実施される方法。
【請求項２７】
前記最も適切な順番についての前記ユーザの選択の結果を、前記機械によって、前記ディスプレイ上に表示するステップをさらに含む請求項２５に記載のコンピュータで実施される方法。
【請求項２８】
１つまたは複数の選択またはプロセスステップが最も適切な選択でない場合、前記ユーザの選択のうちの少なくとも１つが準最適な選択と見なされることを示し、前記少なくとも１つのユーザの選択が、なぜ前記準最適な選択と見なされるかに関する、より多くの情報へのアクセスを提供する情報アイコンを表示する、選択再検討画面を、前記機械によって、表示するステップをさらに含む請求項２７に記載のコンピュータで実施される方法。
【請求項２９】
前記選択された挿入部位の第１のグラフィカル画像を、前記機械の処理デバイスによって、レンダリングするステップと、
前記選択された挿入部位における前記ステッカの配置を示す、第１のグラフィカル画像を含む、ユーザインターフェースを、前記ディスプレイ上に表示するステップと、
前記選択された挿入部位と関連付けられた１つまたは複数の合併症を、前記ディスプレイ上に表示するステップと
をさらに含む請求項２８に記載のコンピュータで実施される方法。
【請求項３０】
前記選択された挿入部位と関連付けられた１つまたは複数の合併症を前記ディスプレイ上に表示するステップは、
前記１つまたは複数の合併症のうちの少なくとも１つの合併症を示す、前記人の腕の第２のグラフィカル画像を、前記処理デバイスによって、レンダリングするステップと、
前記第２のグラフィカル画像を、前記ディスプレイ上の前記ユーザインターフェース上に表示するステップと
を含む請求項２９に記載の方法。
【請求項３１】
前記ユーザインターフェースは、前記少なくとも１つの合併症の定義と、前記少なくとも１つの合併症と関連付けられたリスクのインジケーションとを示す、情報テキストを含む請求項３０に記載の方法。
【請求項３２】
前記ユーザインターフェースは、前記少なくとも１つの合併症の１つまたは複数の影響を例示する、追加のグラフィカル画像を含む請求項３０に記載の方法。
【請求項３３】
前記準最適な選択からもたらされる合併症および潜在的なリスクのうちの少なくとも一方を、前記機械によって、前記ディスプレイ上に表示するステップをさらに含む請求項２８に記載のコンピュータで実施される方法。
【請求項３４】
前記ユーザが前記人物プロファイルで識別される前記人物についてより良い結果を達成したいかどうかを、前記ユーザに問い合わせるステップをさらに含む請求項２８に記載のコンピュータで実施される方法。
【請求項３５】
前記選択人物プロファイルで識別される前記人物について、ＩＶアクセスを適切に獲得するための最適な選択を含む、選択再検討画面を、前記機械によって、前記ディスプレイ上に表示するステップであって、前記選択再検討画面は、複数の最も適切な選択を含む、ステップをさらに含む請求項２７に記載のコンピュータで実施される方法。
【請求項３６】
血管アクセス管理に関する教育的ガイダンスを提供するためのシステムであって、
ステッカと、
前記ステッカに動作可能に結合された機械であって、前記機械は、
カメラデバイスであって、挿入部位において患者の付属肢に付着された前記ステッカと、前記ステッカとアライメントされた前記機械とを用いて、前記カメラデバイスは、前記ステッカの画像を生成するように構成される、カメラデバイスと、
前記カメラデバイスに動作可能に結合されたプロセッサであって、前記プロセッサは、前記ステッカが前記患者の付属肢上の好ましい挿入部位に位置付けられているか、それとも好ましくない挿入部位に位置付けられているかを決定し、前記機械の教育的ガイダンスモードを開始するために、前記機械のディスプレイ上に表示するための、前記挿入部位における前記患者の付属肢のグラフィカル表現を生成するように構成される、プロセッサと
を備える、機械と
を備えるシステム。
【請求項３７】
前記ステッカは、第１の表面と、反対側の第２の表面とを含み、前記第１の表面は、前記第１の表面上の中央に配置されたキーと、前記ステッカのそれぞれのコーナまたはそれぞれのコーナの近くに配置された、前記第１の表面上の１つまたは複数の印と、前記ステッカの下縁に沿って位置付けられた、前記第１の表面上の矢印とを含む請求項３６に記載のシステム。
【請求項３８】
前記ステッカは、ＩＶカテーテルのための複数の挿入部位を示す、患者の腕の画像を含む請求項３６に記載のシステム。
【請求項３９】
前記機械は、前記挿入部位と関連付けられたデータアイテムに対応する１つまたは複数のグラフィカル画像をレンダリングすることによって、デジタル挿入部位の１つまたは複数の画像をレンダリングするように構成された、レンダリング回路をさらに備える請求項３６に記載のシステム。
【請求項４０】
前記機械は、モバイルデバイスを含む請求項３６に記載のシステム。
【請求項４１】
機械上において教育的ガイダンスモードを開始するためのコンピュータで実施される方法であって、
患者の付属肢上の複数の潜在的な挿入部位のうちの第１の挿入部位にステッカを配置するように、機械によって、ユーザに命令するステップと、
コンピューティングデバイス上において教育的ガイダンスモードを開始するために、前記機械を介して、前記ステッカと対話するステップと
を含む方法。
【請求項４２】
前記ユーザが前記ステッカ上に前記機械を保持することによって、前記方法は、
前記患者の付属肢の表現画像を、前記機械によって、生成するステップと、
前記表現画像を、前記機械のディスプレイ上に表示するステップと
をさらに含む請求項４１に記載の方法。
【請求項４３】
前記教育的ガイダンスモード中に、前記第１の挿入部位が、好ましい挿入部位であるか、それとも好ましくない挿入部位であるかを、前記機械によって、決定するステップをさらに含む請求項４１に記載の方法。
【請求項４４】
選択された挿入部位と関連付けられた潜在的な合併症およびリスク因子についてより多く学習するように、前記機械を介して、ユーザに促すステップをさらに含む請求項４３に記載の方法。
【請求項４５】
機械上において教育的ガイダンスモードを開始するための方法であって、
結果ベースの学習プログラムを開始するためのユーザからの要求を、前記機械によって、受信するステップと、
複数の患者プロファイルを、前記機械のディスプレイを介して、前記ユーザに提示するステップと、
前記ディスプレイ上に提示された前記複数の患者プロファイルのうちの第１の患者プロファイルを選択することを、前記機械によって、前記ユーザに問い合わせるステップと、
前記ユーザによる前記第１の患者プロファイルの選択時に、ＩＶカテーテルを挿入するための患者の付属肢上の複数の潜在的な挿入部位から挿入部位を選択するように、前記機械によって、前記ユーザに促すステップと、
前記の患者プロファイルに少なくとも部分的に基づいて、前記第１の挿入部位において前記患者の付属肢に前記ＩＶカテーテルを適切に挿入するために必要とされる１つまたは複数の適切な製品を選択するように、前記機械によって、前記ユーザに命令するステップと
を含む方法。
【請求項４６】
前記第１の挿入部位において前記患者の付属肢に前記ＩＶカテーテルを適切に挿入するために必要とされる１つまたは複数の適切な製品を選択するように、前記機械によって、前記ユーザに命令するステップは、
利用可能な製品を、前記ディスプレイ上に表示するステップと、
正しい順番で使用されるように、前記利用可能な製品のうちの１つまたは複数の適切な製品を選択するように、前記ユーザに命令するステップと
をさらに含む請求項４５に記載の方法。
【請求項４７】
正しい順番で使用されるように、前記利用可能な製品のうちの１つまたは複数の適切な製品を選択するように、前記ユーザに命令するステップは、
前記第１の患者プロファイルにとって適切なカテーテルを、複数のカテーテルから選択するように、前記機械によって、前記ユーザに促すステップと、
前記カテーテルを挿入するための前記第１の挿入部位を準備するための適切なプロセスを選択するように、前記機械によって、前記ユーザに促すステップと、
複数のコネクタから適切なコネクタを選択するように、前記機械によって、前記ユーザに促すステップと、
複数のドレッシング選択肢から適切なドレッシングを選択するように、前記機械によって、前記ユーザに促すステップと、
延長セットが必要とされるどうかを決定するように、前記機械によって、前記ユーザに促すステップと
を含む請求項４５に記載の方法。
【請求項４８】
ラインアクセスプロセスを続行するように、前記機械によって、前記ユーザに促すステップであって、前記ラインアクセスプロセス中、前記機械は、番号が付けられたプロセスステップロケーションに複数のプロセスステップを配置するように前記ユーザに促す、ステップをさらに含む請求項４７に記載の方法。
【請求項４９】
選択された前記１つまたは複数の適切な製品を用いて前記カテーテルを組み立て、ハブを洗浄し、前記ＩＶカテーテルを水洗し、例示的な薬剤を投与するように、前記機械によって、前記ユーザに促すステップと、
前記ユーザによって行われた複数の選択の結果を、前記ディスプレイ上に表示するステップと
をさらに含む請求項４８に記載の方法。
【請求項５０】
前記複数の選択のうちの各選択が正しい場合、正の強化に対する祝辞応答を、前記ディスプレイ上に表示する請求項４９に記載の方法。
【請求項５１】
前記複数の選択のうちの１つまたは複数の選択が正しくない場合、前記方法は、
前記選択された挿入部位に、前記機械に動作可能に結合されたステッカを位置付けるように、前記機械によって、前記ユーザに命令するステップと、
前記機械を前記ステッカ上に配置して、前記挿入部位の不適切な選択と関連付けられた１つまたは複数の合併症を前記ディスプレイ上で見るように、前記機械によって、前記ユーザに促すステップと
をさらに含む請求項４９に記載の方法。
【請求項５２】
前記教育的ガイダンスモードを継続するように、前記機械によって、前記ユーザに促すステップと、
誤って選択された製品、または前記ラインアクセスプロセスの順番通りでないステップの位置、のうちの少なくとも１つを再選択するように、前記機械によって、前記ユーザに促すステップと
をさらに含む請求項５１に記載の方法。
【請求項５３】
前記ユーザが正しい製品を選択し、前記ラインアクセスプロセスステップを順番通り正しく位置付けたと、前記機械によって、決定するステップと、
末梢ＩＶ療法についてより多く学習することに前記ユーザが関心があると、前記機械によって決定するステップと、
末梢ＩＶ療法についてより多く学習するためのサイトへのリンクを、前記機械によって、前記ユーザに提供するステップと
をさらに含む請求項５２に記載の方法。
【請求項５４】
機械上において教育的ガイダンスモードを提供するための方法であって、
ＩＶカテーテルを挿入するための患者の付属肢上の複数の潜在的な挿入部位から挿入部位を選択するように、前記機械によって、ユーザに促すステップと、
前記挿入部位において前記患者の付属肢に前記ＩＶカテーテルを適切に挿入するために必要とされる複数の製品カテゴリから、第１の製品カテゴリを選択するように、前記機械によって、前記ユーザに命令するステップと、
前記患者のプロファイルに少なくとも部分的に基づいて、前記第１の製品カテゴリから正しい製品を選択するように、前記機械によって、前記ユーザに命令するステップと、
前記選択された製品を、前記機械のディスプレイ上に表示するステップと
を含む方法。
【請求項５５】
前記挿入部位において前記患者の付属肢に前記ＩＶカテーテルを適切に挿入するために必要とされる複数の製品カテゴリから、第２の製品カテゴリを選択するように、前記機械によって、前記ユーザに命令するステップと、
前記患者のプロファイルに少なくとも部分的に基づいて、前記第２の製品カテゴリから第２の正しい製品を選択するように、前記機械によって、前記ユーザに命令するステップと、
前記第２の選択された製品を、前記機械のディスプレイ上に表示するステップと
をさらに含む請求項５４に記載の方法。
【請求項５６】
前記選択された製品が前記正しい製品ではないと、前記機械によって、決定するステップと、
前記正しい製品の不適切な選択と関連付けられた１つまたは複数の合併症を、前記ディスプレイ上に表示するステップと
をさらに含む請求項５４に記載の方法。
【発明の詳細な説明】
【技術分野】
【０００１】
本出願は、一般に、末梢ＩＶカテーテルの適切な配置のためのシステム、方法、およびアプリケーション、ならびに入院患者の治療のために必要とされるような、末梢ＩＶカテーテルの適切な配置、アクセス、ケア、およびメンテナンスのためのアプリケーションに関する。より詳細には、本出願は、入院患者の治療のために必要とされる、末梢ＩＶカテーテルの適切な配置のための教育的ガイダンスを提供するためのシステム、方法、およびアプリケーションに関する。
【背景技術】
【０００２】
末梢ＩＶカテーテル配置は、最も一般的な侵襲的病院処置であり、最大で９０％の入院中患者によって必要とされる。臨床基準は、臨床的に必要とされるときに、ＩＶを取り外すことを提言しているが、しかしながら、ＩＶカテーテルの配置と関連付けられた合併症のせいで、最大で５０％の配置されたＩＶカテーテルが、意図されたよりも早く取り外される。これらのＩＶ合併症は、医療システムにとって重い負担であり、そのような合併症を予防および回避するためのシステムおよび方法を提供することは、有益である。
【発明の概要】
【課題を解決するための手段】
【０００３】
本開示は、それら上述の問題および負担のいくつかに対処する。一態様においては、末梢ＩＶ療法のための教育的ガイダンスを提供するためのコンピュータで実施される方法は、複数の人物プロファイルを含むメインメニューを、機械のディスプレイ上に表示するステップを含む。機械は、複数の人物プロファイルのうちの１つの人物プロファイルを選択するように、ユーザに促す。機械は、選択された人物プロファイルに基づいて、ＩＶカテーテルを挿入するための人の付属肢上の複数の挿入部位から、挿入部位を選択するように、ユーザに促す。機械は、人の付属肢上の選択された挿入部位に、機械に動作可能に結合されたステッカ（sticker）を位置付けるように、ユーザに命令する。選択された挿入部位におけるステッカの配置を示すユーザインターフェースが、ディスプレイ上に表示される。ある実施形態においては、機械は、複数の挿入部位のうちの好ましい挿入部位を知るようにプログラムされる。代替的実施形態においては、機械は、選択された挿入部位が、好ましい挿入部位であるか、それとも好ましくない挿入部位であるかを決定する。
【０００４】
別の態様においては、末梢ＩＶ療法のための教育的ガイダンスをユーザに提供するためのコンピュータで実施される方法は、学習プログラムを開始するためのユーザからの要求を、機械によって、受信するステップと、複数の人物プロファイルを含むメインメニューを、機械のディスプレイ上に表示するステップとを含む。機械は、複数の人物プロファイルのうちの第１の人物プロファイルを選択するように、ユーザに促す。第１の人物プロファイルに基づいて、ＩＶを挿入するための人の付属肢上の複数の挿入部位が、ディスプレイ上に表示され、複数の挿入部位は、好ましい挿入部位と、好ましくない挿入部位とを含む。機械は、ＩＶカテーテルを挿入するための人の付属肢上の複数の挿入部位から、第１の挿入部位を選択するように、ユーザに促す。機械は、選択された挿入部位に対応する人の付属肢上に、機械に動作可能に結合されたステッカを位置付けるように、ユーザに命令する。ある実施形態においては、機械は、複数の挿入部位のうちの好ましい挿入部位および好ましくない挿入部位を知るようにプログラムされる。代替的実施形態においては、機械は、選択された挿入部位が、好ましくない挿入部位であると決定する。
【０００５】
また別の態様においては、末梢ＩＶ療法のための教育的ガイダンスをユーザに提供するためのコンピュータで実施される方法は、学習プログラムを開始するためのユーザからの要求を、機械によって、受信するステップを含む。ＩＶを挿入するための人の付属肢上の複数の挿入部位が、機械のディスプレイ上に表示され、複数の挿入部位は、好ましい挿入部位と、好ましくない挿入部位とを含む。機械は、複数の挿入部位から、第１の挿入部位を選択するように、ユーザに促す。機械は、選択された挿入部位に対応する人の付属肢上に、機械に動作可能に結合されたステッカを位置付けるように、ユーザに命令する。ある実施形態においては、機械は、複数の挿入部位のうちの好ましい挿入部位および好ましくない挿入部位を知るようにプログラムされる。代替的実施形態においては、機械は、選択された挿入部位が、好ましくない挿入部位であると決定する。機械は、その後、選択された挿入部位に関する情報を、ディスプレイ上に、表示する。
【０００６】
別の態様においては、末梢ＩＶ療法のための教育的ガイダンスを提供するためのコンピュータで実施される方法は、複数の人物プロファイルを含むメインメニューを、機械のディスプレイ上に表示するステップを含む。機械は、複数の人物プロファイルのうちの１つの人物プロファイルを選択するように、ユーザに促す。機械は、その後、選択された人物プロファイルに基づいて、人の付属肢上の複数の挿入部位から、挿入部位を選択するように、ユーザに促す。ユーザは、複数の製品カテゴリから、第１の製品カテゴリを選択するように、機械によって、促される。機械は、第１の製品カテゴリ内の複数の製品のうちの第１の製品を選択するように、ユーザに促し、第１の製品は、選択された人物プロファイルに少なくとも部分的に基づいて、複数の製品のうちの最も適切な製品である。
【０００７】
別の態様においては、血管アクセス管理に関する教育的ガイダンスを提供するためのシステムは、ステッカと、ステッカに動作可能に結合された機械とを含む。機械は、カメラデバイスを含み、挿入部位において患者の付属肢に付着されたステッカと、ステッカとアライメントされた機械とを用いて、カメラデバイスは、ステッカの画像を生成するように構成される。プロセッサが、カメラデバイスに動作可能に結合される。プロセッサは、ステッカが、患者の付属肢上の好ましい挿入部位に位置付けられているか、それとも好ましくない挿入部位に位置付けられているかを決定し、機械の教育的ガイダンスモードを開始するために、機械のディスプレイ上に表示される、挿入部位における患者の付属肢のグラフィカル表現を生成するように構成される。
【０００８】
別の態様においては、機械上において教育的ガイダンスモードを開始するためのコンピュータで実施される方法は、患者の付属肢上の複数の潜在的な挿入部位のうちの第１の挿入部位にステッカを配置するように、機械によって、ユーザに命令するステップと、コンピューティングデバイス上において教育的ガイダンスモードを開始するために、機械を介して、ステッカと対話するステップとを含む。一実施形態においては、機械は、患者の付属肢の表現画像を生成し、表現画像を、機械のディスプレイ上に表示する。一実施形態においては、教育的ガイダンスモード中に、機械は、第１の挿入部位が、好ましい挿入部位であるか、それとも好ましくない挿入部位であるかを決定する。機械は、その後、選択された挿入部位と関連付けられた、潜在的な合併症およびリスク因子についてより多く学習するように、ユーザに促す。
【０００９】
別の態様においては、機械上において教育的ガイダンスモードを開始するための方法は、結果ベース学習プログラムを開始するためのユーザからの要求を、機械によって、受信するステップと、複数の患者プロファイルを、機械のディスプレイを介して、ユーザに提示するステップと、ディスプレイ上に提示された複数の患者プロファイルのうちの第１の患者プロファイルを選択することを、機械によって、ユーザに問い合わせるステップと、ユーザによる第１の患者プロファイルの選択時に、ＩＶカテーテルを挿入するための患者の付属肢上の複数の潜在的な挿入部位から、挿入部位を選択するように、機械によって、ユーザに促すステップと、第１の患者プロファイルに少なくとも部分的に基づいて、第１の挿入部位において患者の付属肢にＩＶカテーテルを適切に挿入するために必要とされる、１つまたは複数の適切な製品を選択するように、機械によって、ユーザに命令するステップとを含む。
【００１０】
別の態様においては、末梢ＩＶ療法のための教育的ガイダンスを提供するためのコンピュータで実施される方法は、複数の患者プロファイルを含むメインメニューを、機械のディスプレイ上に表示するステップと、複数の患者プロファイルのうちの１つの患者プロファイルを選択するように、機械によって、ユーザに促すステップと、選択された患者プロファイルに基づいて、ＩＶカテーテルを挿入するための患者の付属肢上の複数の挿入部位から、挿入部位を選択するように、機械によって、ユーザに促すステップと、患者の付属肢上の選択された挿入部位に、機械に動作可能に結合されたステッカを位置付けるように、機械によって、ユーザに命令するステップと、選択された挿入部位におけるステッカの配置を示すユーザインターフェースを、ディスプレイ上に表示するステップと、選択された挿入部位が、好ましい挿入部位であるか、それとも好ましくない挿入部位であるかを、機械によって、決定するステップとを含む。そのような方法において、選択された挿入部位が、好ましくない挿入部位である場合、方法は、選択された挿入部位の第１のグラフィカル画像を、機械の処理デバイスによって、レンダリングするステップと、第１のグラフィカル画像を、ディスプレイ上に表示するステップと、選択された挿入部位と関連付けられた１つまたは複数の合併症を、ディスプレイ上に表示するステップとをさらに含み得る。その方法は、選択された合併症に関するさらなる情報のために、１つまたは複数の合併症のうちの１つの合併症を選択するように、ユーザに促すステップと、選択された合併症を示す、患者の腕の第２のグラフィカル画像を、機械の処理デバイスによって、レンダリングするステップとをさらに含み得る。そのような方法は、第２のグラフィカル画像を、ディスプレイ上のユーザインターフェース上に表示するステップをさらに含み得、ユーザインターフェースは、選択された合併症の定義と、選択された合併症と関連付けられたリスクのインジケーションとを示す、情報テキストを含む。方法においては、ユーザインターフェースは、選択された合併症の１つまたは複数の影響を例示する、追加のグラフィカル画像をさらに含み得る。上で言及された方法において、選択された挿入部位が、好ましい挿入部位である場合、方法は、選択された挿入部位のグラフィカル画像を、機械の処理デバイスによって、レンダリングするステップと、ユーザが好ましい挿入部位を正しく選択したことを示すグラフィカル画像を、ディスプレイ上のユーザインターフェース上に表示するステップとをさらに含み得る。その方法においては、ユーザインターフェースは、選択された挿入部位が、末梢ＩＶカテーテルのための好ましい挿入部位である理由をユーザに示す、情報テキストも含み得る。そのような方法は、好ましい挿入部位におけるステッカの配置を示すユーザインターフェースを、ディスプレイ上に表示するステップと、好ましい挿入部位に適切に位置付けられたステッカを用いて、適切な末梢ＩＶ療法についてより多く学習することにユーザが関心があるかどうかを、機械によって、ユーザに問い合わせるステップとをさらに含み得る。その方法は、適切な末梢ＩＶ療法についてより多く学習することにユーザが関心があるかどうかを、機械によって、ユーザに問い合わせるステップと、適切な末梢ＩＶ療法についてより多くを学習することにユーザが関心があることを示すインジケーションがあれば、ディスプレイ上に表示された複数の学習トピックのうちの１つの学習トピックを選択するように、機械によって、ユーザに促すステップと、選択された学習トピックに関する情報を、ディスプレイ上において提供するステップとをさらに含み得る。そのような方法は、１つまたは複数の学習トピックが、適切なＩＶカテーテル選択のための考慮事項と、ＩＶカテーテルを適切に挿入するための指図情報と、ＩＶカテーテルに適切にアクセスし、メンテナンスするための指図情報とを含むことも含み得、選択された学習トピックに関する情報を（例えば、ディスプレイ上において）提供することが、１つまたは複数の学習トピックのうちの選択された学習トピックに関連するベストプラクティスを例示するビデオを、ディスプレイ上に表示することを含むことを含み得る。
【００１１】
別の態様においては、末梢ＩＶ療法のための教育的ガイダンスをユーザに提供するためのコンピュータで実施される方法は、学習プログラムを開始するためのユーザからの要求を、機械によって、受信するステップと、複数の患者プロファイルを含むメインメニューを、機械のディスプレイ上に表示するステップと、複数の患者プロファイルのうちの第１の患者プロファイルを選択するように、ユーザに促すステップと、第１の患者プロファイルに基づいて、ＩＶを挿入するための患者の付属肢上の複数の挿入部位を、ディスプレイ上に表示するステップであって、複数の挿入部位は、好ましい挿入部位と、好ましくない挿入部位とを含む、ステップと、ＩＶカテーテルを挿入するための患者の付属肢上の複数の挿入部位から、第１の挿入部位を選択するように、機械によって、ユーザに促すステップと、選択された挿入部位に対応する患者の付属肢上に、機械に動作可能に結合されたステッカを位置付けるように、機械によって、ユーザに命令するステップと、選択された挿入部位が好ましくない挿入部位であると、機械によって、決定するステップとを含み得る。その方法は、選択された挿入部位の第１のグラフィカル画像を、機械の処理デバイスによって、レンダリングするステップと、選択された挿入部位におけるステッカの配置を示す、第１のグラフィカル画像を含む、ユーザインターフェースを、ディスプレイ上に表示するステップと、選択された挿入部位と関連付けられた１つまたは複数の合併症を、ディスプレイ上に表示するステップとをさらに含み得る。そのような方法は、少なくとも１つの合併症の定義と、少なくとも１つの合併症と関連付けられたリスクのインジケーションとを示す、情報テキスト、および／または少なくとも１つの合併症の１つもしくは複数の影響を例示する、追加のグラフィカル画像を、ユーザインターフェースに提供させることをさらに含み得る。
【００１２】
別の態様においては、末梢ＩＶ療法のための教育的ガイダンスをユーザに提供するためのコンピュータで実施される方法は、学習プログラムを開始するためのユーザからの要求を、機械によって、受信するステップと、ＩＶを挿入するための患者の付属肢上の複数の挿入部位を、機械のディスプレイ上に表示すステップであって、複数の挿入部位は、好ましい挿入部位と、好ましくない挿入部位とを含む、ステップと、複数の挿入部位から第１の挿入部位を選択するように、機械によって、ユーザに促すステップと、選択された挿入部位に対応する患者の付属肢上に、機械に動作可能に結合されたステッカを位置付けるように、機械によって、ユーザに命令するステップと、選択された挿入部位が、好ましくない挿入部位であると、機械によって、決定するステップと、選択された挿入部位に関する情報を、ディスプレイ上に表示するステップとを含み得る。そのような方法は、選択された挿入部位の第１のグラフィカル画像を、機械の処理デバイスによって、レンダリングするステップと、第１のグラフィカル画像を、ディスプレイ上に表示するステップと、選択された好ましくない挿入部位と関連付けられた１つまたは複数の合併症を、ディスプレイ上に表示するステップも含み得る。その方法は、選択された合併症に関するさらなる情報のために、１つまたは複数の合併症のうちの１つの合併症を選択するように、ユーザに促すステップと、選択された合併症を示す、患者の腕の第２のグラフィカル画像を、機械の処理デバイスによって、レンダリングするステップも含み得る。その方法は、第２のグラフィカル画像を、ディスプレイ上のユーザインターフェース上に表示するステップをさらに含み得、ユーザインターフェースは、選択された合併症の定義と、選択された合併症と関連付けられたリスクのインジケーションとを示す、情報テキストを含む。ユーザインターフェースは、選択された合併症の１つまたは複数の影響を例示する、追加のグラフィカル画像も含み得る。上で説明された方法は、ＩＶを挿入するための患者の付属器上の複数の挿入部位を、機械のディスプレイ上に表示する前に、複数の患者プロファイルを含むメインメニューを、ディスプレイ上に表示するステップと、複数の患者プロファイルのうちの第１の患者プロファイルを選択するように、ユーザに促すステップと、第１の患者プロファイルに基づいて、ＩＶを挿入するための患者の付属肢上の複数の挿入部位を、ディスプレイ上に表示するステップとを加えて含み得る。上で説明された方法は、適切な末梢ＩＶ療法についてより多く学習することにユーザが関心があるかどうかを、機械によって、ユーザに問い合わせるステップと、適切な末梢ＩＶ療法についてより多く学習することにユーザが関心があると、機械によって、決定するステップと、ディスプレイ上に表示された複数の学習トピックのうちの１つの学習トピックを選択するように、機械によって、ユーザに促すステップと、選択された学習トピックに関する情報を、ディスプレイ上において提供するステップとを加えて含み得る。
【００１３】
別の態様においては、血管アクセス管理に関する教育的ガイダンスを提供するためのシステムは、ステッカと、ステッカに動作可能に結合された機械であって、機械は、カメラデバイスであって、挿入部位において患者の付属肢に付着されたステッカと、ステッカとアライメントされた機械とを用いて、カメラデバイスは、ステッカの画像を生成するように構成される、カメラデバイスと、カメラデバイスに動作可能に結合されたプロセッサであって、プロセッサは、ステッカが、患者の付属肢上の好ましい挿入部位に位置付けられているか、それとも好ましくない挿入部位に位置付けられているかを決定し、機械の教育的ガイダンスモードを開始するために、機械のディスプレイ上に表示するための、挿入部位における患者の付属肢のグラフィカル表現を生成するように構成される、プロセッサとを備える、機械とを含み得る。そのシステムのステッカは、第１の表面と、反対側の第２の表面とを含み得、第１の表面は、第１の表面上の中央に配置されたキーと、ステッカのそれぞれのコーナまたはそれぞれのコーナの近くに配置された、第１の表面上の１つまたは複数の印と、ステッカの下縁に沿って位置付けられた、第１の表面上の矢印とを備える。そのシステムのステッカは、ＩＶカテーテルのための複数の挿入部位を示す、患者の腕の画像を含み得る。そのシステムの機械は、挿入部位と関連付けられたデータアイテムに対応する１つまたは複数のグラフィカル画像をレンダリングすることによって、デジタル挿入部位の１つまたは複数の画像をレンダリングするように構成された、レンダリング回路を含み得る。機械は、モバイルデバイスを含み得る。
【００１４】
別の態様においては、機械上において教育的ガイダンスモードを開始するためのコンピュータで実施される方法は、患者の付属肢上の複数の潜在的な挿入部位のうちの第１の挿入部位にステッカを配置するように、機械によって、ユーザに命令するステップと、コンピューティングデバイス上において教育的ガイダンスモードを開始するために、機械を介して、ステッカと対話するステップとを含み得る。その方法においては、ユーザがステッカ上に機械を保持することによって、方法は、患者の付属肢の表現画像を、機械によって、生成するステップと、表現画像を、機械のディスプレイ上に表示するステップとをさらに含み得る。方法は、教育的ガイダンスモード中に、第１の挿入部位が、好ましい挿入部位であるか、それとも好ましくない挿入部位であるかを、機械によって、決定するステップも含み得る。そのような方法は、選択された挿入部位と関連付けられた潜在的な合併症およびリスク因子についてより多く学習するように、（機械を介して）ユーザに促すステップをさらに含み得る。
【００１５】
別の態様においては、機械上において教育的ガイダンスモードを開始するための方法は、結果ベースの学習プログラムを開始するためのユーザからの要求を、機械によって、受信するステップと、複数の患者プロファイルを、機械のディスプレイを介して、ユーザに提示ステップと、ディスプレイ上に提示された複数の患者プロファイルのうちの第１の患者プロファイルを選択することを、機械によって、ユーザに問い合わせるステップと、ユーザによる第１の患者プロファイルの選択時に、ＩＶカテーテルを挿入するための患者の付属肢上の複数の潜在的な挿入部位から、挿入部位を選択するように、機械によって、ユーザに促すステップと、第１の患者プロファイルに少なくとも部分的に基づいて、第１の挿入部位において患者の付属肢にＩＶカテーテルを適切に挿入するために必要とされる、１つまたは複数の適切な製品を選択するように、機械によって、ユーザに命令するステップとを含み得る。方法においては、第１の挿入部位において患者の付属肢にＩＶカテーテルを適切に挿入するために必要とされる、１つまたは複数の適切な製品を選択するように、（機械によって）ユーザに命令するステップは、利用可能な製品を、ディスプレイ上に表示するステップと、正しい順番で使用されるように、利用可能な製品のうちの１つまたは複数の適切な製品を選択するように、ユーザに命令するステップも含み得る。方法においては、正しい順番で使用されるように、利用可能な製品のうちの１つまたは複数の適切な製品を選択するように、ユーザに命令するステップは、第１の患者プロファイルにとって適切なカテーテルを、複数のカテーテルから選択するように、機械によって、ユーザに促すステップと、カテーテルを挿入するための第１の挿入部位を準備するための適切なプロセスを選択するように、機械によって、ユーザに促すステップと、複数のコネクタから適切なコネクタを選択するように、機械によって、ユーザに促すステップと、複数のドレッシング選択肢から適切なドレッシングを選択するように、機械によって、ユーザに促すステップと、延長セットが必要とされるどうかを決定するように、機械によって、ユーザに促すステップとを含み得、そのような方法は、ラインアクセスプロセスを続行するように、機械によって、ユーザに促すステップであって、ラインアクセスプロセス中、機械は、番号が付けられたプロセスステップロケーションに、複数のプロセスステップを配置するように、ユーザに促す、ステップをさらに含み得、選択された１つまたは複数の適切な製品を用いてカテーテルを組み立て、ハブを洗浄し、ＩＶカテーテルを水洗し、例示的な薬剤を投与するように、機械によって、ユーザに促すステップと、ユーザによって行われた複数の選択の結果を、ディスプレイ上に表示するステップとをまたさらに含み得る。ここで、複数の選択のうちの各選択が、正しい場合、その方法は、正の強化に対する祝辞応答を、ディスプレイ上に表示するステップを含み得るが、複数の選択のうちの１つまたは複数の選択が、正しくない場合、方法は、選択された挿入部位に、機械に動作可能に結合されたステッカを位置付けるように、機械によって、ユーザに命令するステップと、機械をステッカ上に配置して、挿入部位の不適切な選択と関連付けられた１つまたは複数の合併症をディスプレイ上で見るように、機械によって、ユーザに促すステップとを含み得る。その後、１つまたは複数の選択が、正しくなかった場合、方法は、教育的ガイダンスモードを継続するように、機械によって、ユーザに促すステップと、誤って選択された製品、またはラインアクセスプロセスの順番通りでないステップの位置、のうちの少なくとも１つを再選択するように、機械によって、ユーザに促すステップとを加えて含み得る。方法は、ユーザが、正しい製品を選択し、ラインアクセスプロセスステップを順番通り正しく位置付けたと、機械によって、決定するステップと、末梢ＩＶ療法についてより多く学習することにユーザが関心があると、機械によって決定するステップと、末梢ＩＶ療法についてより多く学習するためのサイトへのリンクを、機械によって、ユーザに提供するステップとも含み得る。
【００１６】
別の態様においては、機械上において教育的ガイダンスモードを提供するための方法は、ＩＶカテーテルを挿入するための患者の付属肢上の複数の潜在的な挿入部位から、挿入部位を選択するように、機械によって、ユーザに促すステップと、挿入部位において患者の付属肢にＩＶカテーテルを適切に挿入するために必要とされる複数の製品カテゴリから、第１の製品カテゴリを選択するように、機械によって、ユーザに命令するステップと、患者のプロファイルに少なくとも部分的に基づいて、第１の製品カテゴリから正しい製品を選択するように、機械によって、ユーザに命令するステップと、選択された製品を、機械のディスプレイ上に表示するステップとを含み得る。その方法は、挿入部位において患者の付属肢にＩＶカテーテルを適切に挿入するために必要とされる複数の製品カテゴリから、第２の製品カテゴリを選択するように、機械によって、ユーザに命令するステップと、患者のプロファイルに少なくとも部分的に基づいて、第２の製品カテゴリから第２の正しい製品を選択するように、機械によって、ユーザに命令するステップと、機械のディスプレイ上に、第２の選択された製品を表示するステップとをさらに含み得る。あるいは、方法は、選択された製品が、正しい製品ではないと、機械によって、決定するステップと、正しい製品の不適切な選択と関連付けられた１つまたは複数の合併症を、ディスプレイ上に表示するステップとを含み得る。
【図面の簡単な説明】
【００１７】
詳細な説明が、添付の図に例示される、非限定的および非網羅的な実施形態を参照して行われる。異なる図における同じ参照番号は、同様または同一のアイテムを参照する。
【図１】様々な実施形態に従った、結果ベース学習（ＣＢＬ）プログラムを使用する、末梢ＩＶ療法のための教育的ガイダンスを提供するための例示的なシステムの斜視図である。
【図２】様々な実施形態に従った、例示的な機械の選択コンポーネントを示す図である。
【図３Ａ】様々な実施形態に従った、結果ベース学習（ＣＢＬ）プログラムを使用する、末梢ＩＶ療法のための教育的ガイダンスを提供するための例示的な方法を示す図である。
【図３Ｂ】様々な実施形態に従った、結果ベース学習（ＣＢＬ）プログラムを使用する、末梢ＩＶ療法のための教育的ガイダンスを提供するための例示的な方法を示す図である。
【図３Ｃ】様々な実施形態に従った、結果ベース学習（ＣＢＬ）プログラムを使用する、末梢ＩＶ療法のための教育的ガイダンスを提供するための例示的な方法を示す図である。
【図４】様々な実施形態に従った、結果ベース学習（ＣＢＬ）プログラムを使用する、末梢ＩＶ療法のための教育的ガイダンスを提供するための例示的な方法を示す図である。
【図５】様々な実施形態に従った、図４の方法の間、例示的な機械上に表示される例示的なユーザインターフェースを示す図である。
【図６】様々な実施形態に従った、図４の方法の間、例示的な機械上に表示される例示的なユーザインターフェースを示す図である。
【図７】様々な実施形態に従った、図４の方法の間、例示的な機械上に表示される例示的なユーザインターフェースを示す図である。
【図８】様々な実施形態に従った、図４の方法の間、例示的な機械上に表示される例示的なユーザインターフェースを示す図である。
【図９】様々な実施形態に従った、図４の方法の間、例示的な機械上に表示される例示的なユーザインターフェースを示す図である。
【図１０】様々な実施形態に従った、図４の方法の間、例示的な機械上に表示される例示的なユーザインターフェースを示す図である。
【図１１】様々な実施形態に従った、図４の方法の間、例示的な機械上に表示される例示的なユーザインターフェースを示す図である。
【図１２】様々な実施形態に従った、図４の方法の間、例示的な機械上に表示される例示的なユーザインターフェースを示す図である。
【図１３】様々な実施形態に従った、図４の方法の間、例示的な機械上に表示される例示的なユーザインターフェースを示す図である。
【図１４】様々な実施形態に従った、図４の方法の間、例示的な機械上に表示される例示的なユーザインターフェースを示す図である。
【図１５】様々な実施形態に従った、図４の方法の間、例示的な機械上に表示される例示的なユーザインターフェースを示す図である。
【図１６】様々な実施形態に従った、図４の方法の間、例示的な機械上に表示される例示的なユーザインターフェースを示す図である。
【図１７】様々な実施形態に従った、図４の方法の間、例示的な機械上に表示される例示的なユーザインターフェースを示す図である。
【図１８】様々な実施形態に従った、図４の方法の間、例示的な機械上に表示される例示的なユーザインターフェースを示す図である。
【図１９】様々な実施形態に従った、図４の方法の間、例示的な機械上に表示される例示的なユーザインターフェースを示す図である。
【図２０】様々な実施形態に従った、図４の方法の間、例示的な機械上に表示される例示的なユーザインターフェースを示す図である。
【図２１】様々な実施形態に従った、図４の方法の間、例示的な機械上に表示される例示的なユーザインターフェースを示す図である。
【図２２】様々な実施形態に従った、図４の方法の間、例示的な機械上に表示される例示的なユーザインターフェースを示す図である。
【図２３】様々な実施形態に従った、図４の方法の間、例示的な機械上に表示される例示的なユーザインターフェースを示す図である。
【図２４】様々な実施形態に従った、図４の方法の間、例示的な機械上に表示される例示的なユーザインターフェースを示す図である。
【図２５】様々な実施形態に従った、図４の方法の間、例示的な機械上に表示される例示的なユーザインターフェースを示す図である。
【図２６】様々な実施形態に従った、図４の方法の間、例示的な機械上に表示される例示的なユーザインターフェースを示す図である。
【図２７】様々な実施形態に従った、図４の方法の間、例示的な機械上に表示される例示的なユーザインターフェースを示す図である。
【図２８】様々な実施形態に従った、結果ベース学習（ＣＢＬ）プログラムを使用する、末梢ＩＶ療法のための教育的ガイダンスを提供するための例示的な方法を示す図である。
【図２９】様々な実施形態に従った、図２８の方法の間、例示的な機械上に表示される例示的なユーザインターフェースを示す図である。
【図３０】様々な実施形態に従った、図２８の方法の間、例示的な機械上に表示される例示的なユーザインターフェースを示す図である。
【図３１】様々な実施形態に従った、図２８の方法の間、例示的な機械上に表示される例示的なユーザインターフェースを示す図である。
【図３２】様々な実施形態に従った、図２８の方法の間、例示的な機械上に表示される例示的なユーザインターフェースを示す図である。
【図３３】様々な実施形態に従った、図２８の方法の間、例示的な機械上に表示される例示的なユーザインターフェースを示す図である。
【図３４】様々な実施形態に従った、図２８の方法の間、例示的な機械上に表示される例示的なユーザインターフェースを示す図である。
【図３５】様々な実施形態に従った、図２８の方法の間、例示的な機械上に表示される例示的なユーザインターフェースを示す図である。
【図３６】様々な実施形態に従った、図２８の方法の間、例示的な機械上に表示される例示的なユーザインターフェースを示す図である。
【図３７】様々な実施形態に従った、図２８の方法の間、例示的な機械上に表示される例示的なユーザインターフェースを示す図である。
【図３８】様々な実施形態に従った、図２８の方法の間、例示的な機械上に表示される例示的なユーザインターフェースを示す図である。
【図３９】様々な実施形態に従った、図２８の方法の間、例示的な機械上に表示される例示的なユーザインターフェースを示す図である。
【図４０】様々な実施形態に従った、図２８の方法の間、例示的な機械上に表示される例示的なユーザインターフェースを示す図である。
【図４１】様々な実施形態に従った、図２８の方法の間、例示的な機械上に表示される例示的なユーザインターフェースを示す図である。
【図４２】様々な実施形態に従った、図２８の方法の間、例示的な機械上に表示される例示的なユーザインターフェースを示す図である。
【図４３】様々な実施形態に従った、図２８の方法の間、例示的な機械上に表示される例示的なユーザインターフェースを示す図である。
【図４４】様々な実施形態に従った、図２８の方法の間、例示的な機械上に表示される例示的なユーザインターフェースを示す図である。
【図４５】様々な実施形態に従った、図２８の方法の間、例示的な機械上に表示される例示的なユーザインターフェースを示す図である。
【図４６】様々な実施形態に従った、図２８の方法の間、例示的な機械上に表示される例示的なユーザインターフェースを示す図である。
【図４７】様々な実施形態に従った、図２８の方法の間、例示的な機械上に表示される例示的なユーザインターフェースを示す図である。
【図４８】様々な実施形態に従った、図２８の方法の間、例示的な機械上に表示される例示的なユーザインターフェースを示す図である。
【図４９】様々な実施形態に従った、図２８の方法の間、例示的な機械上に表示される例示的なユーザインターフェースを示す図である。
【図５０】様々な実施形態に従った、図２８の方法の間、例示的な機械上に表示される例示的なユーザインターフェースを示す図である。
【図５１】様々な実施形態に従った、図２８の方法の間、例示的な機械上に表示される例示的なユーザインターフェースを示す図である。
【図５２】様々な実施形態に従った、図２８の方法の間、例示的な機械上に表示される例示的なユーザインターフェースを示す図である。
【図５３】様々な実施形態に従った、図２８の方法の間、例示的な機械上に表示される例示的なユーザインターフェースを示す図である。
【図５４】様々な実施形態に従った、図２８の方法の間、例示的な機械上に表示される例示的なユーザインターフェースを示す図である。
【図５５】様々な実施形態に従った、図２８の方法の間、例示的な機械上に表示される例示的なユーザインターフェースを示す図である。
【図５６】様々な実施形態に従った、図２８の方法の間、例示的な機械上に表示される例示的なユーザインターフェースを示す図である。
【図５７】様々な実施形態に従った、図２８の方法の間、例示的な機械上に表示される例示的なユーザインターフェースを示す図である。
【図５８】様々な実施形態に従った、システム、方法、およびアプリケーションとともに使用するための例示的な機械を示す図である。
【発明を実施するための形態】
【００１８】
様々な実施形態が、図面を参照して、以下で説明され、同様の要素は、一般に、同様の数字によって参照される。実施形態の様々な要素の関係および機能は、以下の詳細な説明を参照することによって、より良く理解され得る。しかしながら、実施形態は、図面において例示される実施形態に限定されない。図面は、必ずしも実寸に比例しているとは限らず、ある例においては、例えば、従来の製造および組み立てなど、本明細書において開示される実施形態の理解に必要ではない詳細は、省略されていることがあることが理解されるべきである。
【００１９】
本発明は、特許請求の範囲によって確定され、多くの異なる形態で具体化され得、本明細書において説明される実施形態に限定されると解釈されるべきではなく、むしろ、これらの実施形態は、本開示が、徹底的で完全であり、可能な開示を当業者に十分に伝達するように提供される。本明細書および特許請求の範囲において使用される場合、単数形にかかる「ａ」、「ａｎ」、および「ｔｈｅ」は、文脈が別段の指摘を明確に行わない限り、複数の指示対象を含む。本明細書における業界規格（ＡＳＴＭ、ＡＮＳＩ、ＩＥＥＥ規格など）への言及は、本明細書において明示的に別段の定めがない限り、それらの規格によって伝えられる単位、測定、およびテスト基準に関して、本開示の最初の出願日現在において公開されていた規格に準拠するものとして定められる。「近位」および「遠位」という用語は、本明細書においては、一般的な慣習における意味で使用され、「近位」は、デバイスまたは関連オブジェクトのハンドル／医師側、および「遠位」は、デバイスまたは関連オブジェクトのツール／患者側を指す。「約」、「実質的に」、「ほぼ」という用語、および程度についての他の用語は、いずれかの体積、寸法、比率、または他の定量的もしくは定性的な値に言及して使用されるとき、（この分野における経験を有する医療デバイスエンジニアに相当する）当業者によって理解される、標準的パラメータ内の明確で識別可能な値を伝えることを意図しており、少なくとも、任意の法的均等物、小規模で機能的に重要でない変形、標準的な製造公差を含み、（それの最大範囲ほど広いことは必要とされないが）少なくとも数学的に重要な数字を含むと解釈されるべきである。
【００２０】
本明細書において説明される例示的な実施形態においては、コンピューティングデバイスは、適切な末梢ＩＶ療法のための教育的ガイダンスをユーザに提供するための、結果ベース学習（ＣＢＬ）アプリケーションを提供する。ＣＢＬアプリケーションを用いると、ユーザは、１つまたは複数の最適な、正しい、または最も適切な応答または選択肢と、１つまたは複数の準最適な、正しくない、または不適切な応答または選択肢とを含むリストから選択するように促される。学習プログラムが、ひとたび完了すると、ユーザは、学習プログラム中に行われた適切または不適切な選択からもたらされた結果について助言される。ある実施形態においては、ユーザは、結果がユーザに表示されるまで、最適なパスの知識なしに、学習プログラム全体にわたって、最適および／または準最適な選択となるパスを選択することを可能にされる。結果は、ユーザが、拡張現実、複合現実、および／または仮想現実アプリケーションに基づいて、ベストプラクティス情報および合併症を見ることを可能にする。さらに、学習アプリケーションは、挿入部位を適切に選択することの重要性、挿入部位を不適切に選択することの合併症および意図された治療に対する影響など、適切な末梢ＩＶ療法の重要な態様に関するトレーニング、適切なＩＶカテーテル選択のための考慮事項、ならびにＩＶカテーテルの適切な挿入、アクセス、およびメンテナンスに関連するキーポイントを提供する。
【００２１】
例示的な実施形態においては、機械上において教育的ガイダンスモードを提供するための方法は、ＩＶカテーテルを挿入するための人の付属肢上の複数の潜在的な挿入部位から、挿入部位を選択するように、機械によって、ユーザに促すステップと、挿入部位において人の付属器にＩＶカテーテルを適切に挿入するために必要とされる複数の製品カテゴリから、第１の製品カテゴリを選択するように、機械によって、ユーザに命令するステップと、人物のプロファイルに少なくとも部分的に基づいて、第１の製品カテゴリから最も適切な製品を選択するように、機械によって、ユーザに命令するステップと、選択された製品を、機械のディスプレイ上に表示するステップとを含む。方法は、限定なしに、適切な皮膚消毒を保証し、挿入部位において人の付属器にＩＶカテーテルを適切に挿入するための、および／または人の付属器においてＩＶカテーテルを適切にメンテナンスするための、ＩＶカテーテルラインへのアクセスを可能にするために必要とされる複数の製品カテゴリから、第２の製品カテゴリを選択するように、機械によって、ユーザに命令するステップをさらに含み得る。方法は、例えば、人物のプロファイルに少なくとも部分的に基づいて、第２の製品カテゴリから第２の最も適切な製品を選択するように、機械によって、ユーザに命令するステップと、第２の選択された製品を、機械のディスプレイ上に表示するステップも含み得る。方法は、選択された製品が、最も適切な製品ではないと、機械によって決定するステップと、製品の不適切な選択と関連付けられた１つまたは複数の合併症を、ディスプレイ上に表示するステップも含み得る。
【００２２】
ここで図を参照すると、図１は、本明細書において説明されるように、拡張現実（ＡＲ）ステッカまたは仮想現実（ＶＲ）ステッカなどのステッカ５０と、ステッカ５０に動作可能に結合された、電子デバイスまたはコンピューティングデバイス、例えば、モバイルフォンまたは任意の適切なモバイルデバイスなどの機械１００とを含む、血管アクセス管理のためのシステム４０を概略的に例示している。例示的な実施形態においては、本明細書において説明されるように、選択された挿入部位において人の腕に付着されたステッカ５０と、機械１００のカメラデバイスが、ステッカ５０の画像をキャプチャまたは生成するように、ステッカ５０とアライメントされた、例えば、ステッカ５０上に位置付けられた機械１００を用いて、システム４０は、コンピュータで生成された画像を、機械１００のディスプレイ上に、例えば、ユーザのモバイルフォンのディスプレイ上に重ね合わせ、したがって、合成ビューを提供するように構成される。例示的な代替的実施形態においては、システム４０は、機械１００、および／または機械１００に動作可能に結合された他の電子コンポーネントを使用して、一見現実的または物理的な方法で、人が対話することができる、３次元画像または環境のコンピュータで生成されたシミュレーションを、機械１００上に表示するように構成される。
【００２３】
図１に示されるように、ステッカ５０は、ステッカ５０の第１の表面または外面５３上の中央に配置されたキー５２と、ステッカ５０のそれぞれのコーナ５６またはコーナ５６の近くに配置された１つまたは複数の印５４と、ステッカ５０の第１の縁または下縁６０に沿って位置付けられた矢印５８とを含む。ステッカ５０は、ＩＶカテーテルのための潜在的な挿入部位を示す、人の腕の画像６２をさらに含む。例えば、ステッカ５０は、手挿入部位、手首挿入部位、および肘前挿入部位を示し得る。システム４０は、同じまたは類似のキー５２、印５４、および／または人の腕の画像６２を有する、図１に示されていない追加のステッカ５０など、１つまたは複数の追加のステッカ５０を含み得るが、しかしながら、追加のステッカ５０は、図１に示されるステッカ５０の潜在的な挿入部位とは異なる、ＩＶカテーテルのための潜在的な挿入部位を示す。例えば、追加のステッカ５０は、前腕挿入部位を示し得る。外面５３の反対側のステッカ５０の第２の表面または底面６４は、ステッカ５０を、人の皮膚など、表面に付着するための適切な接着剤を含む。本明細書において説明される方法の間、ステッカ５０は、ユーザによって選択された挿入部位において、人の皮膚に位置付けられ、ある実施形態においては、付着され、矢印５８は、人の腕に沿って遠位方向に、すなわち、人の指に向かう方向にアライメントされる。より具体的には、人、例えば、ユーザは、挿入部位を選択し、ＩＶカテーテルが挿入されるべきであるとユーザが信じる、選択された挿入部位において、人の腕上にステッカ５０を配置する。
【００２４】
挿入部位のうちの１つに配置されたステッカ５０を用いて、機械１００は、機械１００上において教育的ガイダンスモードまたはアプリケーションを開始するために、ステッカ５０と対話する。ユーザは、拡張現実アプリケーションの間、機械１００上のディスプレイ７０から、対応する挿入部位を選択する。ユーザが、ステッカ５０上に機械１００を保持したとき、人の腕の表現画像が、ディスプレイ７０上に表示される。例示的な実施形態においては、本明細書において説明されるような、教育的ガイダンスモードまたはアプリケーションの間、機械１００は、好ましい挿入部位および好ましくない挿入部位を知るように構成またはプログラムされる。さらに、ユーザは、挿入部位が、好ましい挿入部位であるか、それとも好ましくない挿入部位であるかにかかわらず、選択された挿入部位と関連付けられた潜在的な合併症およびリスク因子についてより多く学習するように促される。非侵襲的であるが直観的な学習体験は、ＩＶカテーテルの適切な挿入、アクセス、およびメンテナンスの重要性についての情報を提供する。本明細書において説明されるシステム、方法、およびアプリケーションは、臨床転帰、およびある実施形態においては、経済的結果に対する、これらの合併症の影響に関してユーザを教育するために、ユーザがこれらの合併症を視覚化することを可能にする、拡張現実アプリケーションを提供する。
【００２５】
図２は、教育的ガイダンスモードまたはアプリケーションを開始するための、様々な実施形態に従って構成された、例示的な機械１００（例えば、ユーザのモバイルフォンまたは他の適切なモバイルデバイスなどの、電子デバイスまたはコンピューティングデバイス）の少なくとも一部を示す。様々な実施形態においては、機械１００は、レンダリング回路１０２と、ネットワークインターフェース回路１０４と、メモリデバイス１０６と、ディスプレイデバイス１０８と、ユーザインターフェース回路１１０とを含む。機械１００は、メモリデバイス１０６内に記憶された命令、またはネットワークインターフェース回路１０４を介して受信された命令と一緒に、様々な回路要素（例えば、レンダリング回路１０２、ネットワークインターフェース回路１０４、およびユーザインターフェース回路１１０）の一部を実施する、図５８に示される１つまたは複数のプロセッサ７０２などの、１つまたは複数の処理デバイスも含み得る。レンダリング回路１０２は、ネットワークインターフェース回路１０４、メモリデバイス１０６、ディスプレイデバイス１０８、およびユーザインターフェース回路１１０に通信可能に結合され得、データおよび命令を様々なコンポーネントから受信し、様々なコンポーネントに送信する。ディスプレイデバイス１０８も、ユーザインターフェース回路１１０に通信可能に結合され得、ユーザインターフェースの視覚的態様を提供する。
【００２６】
ある例示的な実施形態においては、ネットワークインターフェース回路１０４は、インターネットなどのネットワーク１１４を介して、サーバ１１２などの外部デバイスと通信する。ユーザインターフェース回路１１０は、様々な入力コンポーネントおよび出力コンポーネントを含み得、挿入部位またはその近くにおける人の腕の表示を制御するために、ユーザが機械１００とインターフェースをとることを可能にする。ディスプレイデバイス１０８は、機械１００と統合され得、またはさもなければ機械１００に接続され得る。ディスプレイデバイス１０８は、例えば、液晶ディスプレイ（ＬＤＣ）、発光ダイオード（ＬＥＤ）ディスプレイ、エレクトロウェッティングディスプレイ（ＥＷＤ）、または別の適切もしくは一般的なディスプレイタイプを含む、ディスプレイ７０など、任意の適切なタイプのディスプレイを含み得る。ディスプレイデバイス１０８は、様々な実施形態に従って、挿入部位のレンダリングされた画像を提供する。
【００２７】
レンダリング回路１０２は、選択された挿入部位内の、または選択された挿入部位と関連付けられたデータアイテムに対応する１つまたは複数のグラフィカル画像をレンダリングすることによって、デジタル挿入部位の画像をレンダリングし得る。データアイテムは、挿入部位内の複数の異なる態様または要素に対応し得る。例えば、挿入部位内のデータアイテムは、骨格または筋肉の態様、例えば、骨、靭帯、筋肉、および／または腱、ならびに例えば、動脈、静脈、および／または毛細血管などの血管を含む、血管系態様など、挿入部位の生物学的態様を含み得る。データアイテムは、例えば、人の皮膚上に現れる、傷跡などの他の態様も含み得る。例示的な実施形態においては、機械は、開示された実施形態の拡張現実態様を提供および操作するように構成された、１つまたは複数のスライダボタンなど、適切なアクチュエータを含む。例えば、ある実施形態においては、機械は、例えば、刺激、炎症、および／もしくは感染を示す、様々な皮膚の色合い、人の血管系の様々な深さ、ならびに／またはスライダボタンがユーザによって操作されたときに開始し、進行する、合併症のタイムラプス画像などの、データアイテムを提供するように構成される。
【００２８】
データアイテムは、挿入部位もしくはその近くにおける個々の点、挿入部位もしくはその近くにおける構造もしくは領域、または挿入部位を取り巻く領域全体に適用可能な、テキストアイテムおよびカテゴリアイテムも含み得る。テキストアイテムおよびカテゴリアイテムは、ラベル、タイトル、関心点、境界線、および境界などを含み得る。上で説明されたデータアイテムの各タイプは、挿入部位内の異なるデータカテゴリまたはデータタイプを表し得る。例えば、異なるデータカテゴリまたはデータタイプが、挿入部位を取り巻く、および／または挿入部位内の骨格、筋肉組織、および血管態様に対して、存在し得る。様々な実施形態に従うと、様々なレベルの詳細が、これらの異なるデータカテゴリに関して、個別に、または一緒に組み合わされて、挿入部位のビュー内に提示されることができる。
【００２９】
挿入部位の個々の態様についてのデータは、サーバ１１２上に記憶され得、例えば、ハイパーテキスト転送プロトコル（ＨＴＴＰ）を使用して、インターネットなどのネットワーク１１４を介して、機械１００によって受信され得る。あるいは、挿入部位の個々の態様についてのデータは、メモリ１０６、または機械１００に結合される（例えば、直接的に結合される）こと、および機械１００によって読み取られることができる、別のコンピュータ可読媒体（例えば、フラッシュドライブ、ＳＤカード、マイクロＳＤカード、コンパクトフラッシュ（登録商標）カード、コンパクトディスクなど）などの、コンピュータ可読媒体上に存在し得る。異なる態様が、与えられた挿入部位についての異なるズームレベルに対して、存在し得る。例えば、最も低いズームレベル（例えば、ズームレベル１）においては、人の腕全体が、示され得る。しかしながら、次のズームレベル（ズームレベル２など）においては、挿入部位を取り巻く人の腕の領域のより大きな画像が、示される。各ズームレベルを用いると、異なるデータおよび／または追加データが、画像に示され得る。例えば、ズームレベルが、増加するにつれて、追加の詳細データが、各画像に追加され得る。データの多くのバリエーションが、可能であり、様々なズームレベルにおいて、各挿入部位のために記憶される、データの量およびデータのタイプは、異なるアプリケーション設定において適切であるように、変化させることができる。
【００３０】
レンダリング回路１０２は、ディスプレイデバイス１０８上に表示された、ユーザによって選択された、挿入部位と関連付けられた、個々の態様を要求し得る。例えば、レンダリング回路１０２は、ディスプレイデバイス１０８上に挿入部位の画像を表示するための、選択された挿入部位と関連付けられたデータを要求し得る。レンダリング回路１０２は、ネットワークインターフェース回路１０４を介して、名前または識別によって、特定の態様を要求し得、または挿入部位のビューの境界線を伝達し、ビュー内のすべての態様を要求し得る。ネットワークインターフェース回路１０４は、その後、ネットワーク１１４を介して、データを受信し得、データをレンダリング回路１０２に、または直接的にメモリデバイス１０６に提供し得る。レンダリング回路１０２は、また、受信された態様を、メモリデバイス１０６に記憶し得る。あるいは、データは、機械１００に結合されたコンピュータ可読媒体（例えば、ＳＤカードまたはフラッシュドライブ）上に記憶され、またはさもなければ、機械１００に提供され得る。
【００３１】
ある実施形態においては、ユーザは、ユーザインターフェース回路１１０を通して、挿入部位画像とインターフェースをとることができる。例えば、ユーザは、表示された挿入部位のロケーションを変更し得、および／またはユーザインターフェース回路１１０を使用して、表示された挿入部位をズームインまたはズームアウトし得る。例えば、ユーザインターフェース回路１１０が、タッチスクリーンインターフェースを含む場合、ユーザは、挿入部位をタッチアンドドラッグして、表示される領域を変更することによって、または２本指でのピンチインもしくは２本指でのピンチアウトを使用して、ズームインおよびズームアウトすることによって、表示される挿入部位の変更を開始し得る。ユーザインターフェース回路１１０を介した、挿入部位画像とのそのような対話は、同じ表示スキーマまたは異なる表示スキーマに従って、新しい挿入部位画像データをレンダリングするために、レンダリング回路１０２に、挿入部位画像の全部または一部を再レンダリングさせ得る。
【００３２】
図２を参照すると、ユーザインターフェース回路１１０は、表示された挿入部位の態様を制御するためのコマンドまたは命令をユーザから受け取るための、インターフェースを提供し得る。一実施形態においては、ユーザインターフェース回路１１０は、ユーザが挿入部位に関して異なる操作を選択することを可能にするための、グラフィカルユーザインターフェース（ＧＵＩ）入力を提供し得る。
【００３３】
例示的な代替的実施形態においては、ＧＵＩ入力は、実際にはディスプレイデバイス上に表示されないことがあるが、しかしながら、ユーザインターフェース回路１１０は、ＧＵＩ入力によって示される方向における、ポインタ、タッチパッド、タッチスクリーン、または別の入力デバイスの動きに応答し得る。例えば、ユーザは、マウスを右クリックし、挿入部位の表示に変化を引き起こすための関連付けられた方向に（例えば、ズームレベルを変化させるために上下に、詳細のレベルを変化させるために左右に）ポインタを移動し得る。さらにまた、ユーザインターフェース回路１１０は、マップのビューを変更するための、特に、表示される詳細のレベルを変化させるための、コマンドまたは命令として解釈され得る、デバイスを傾けること、回転させること、または動かすことに応答し得る。さらにまた、インターフェース回路１１０は、挿入部位のビューを変更するための、コマンドまたは命令として解釈され得る、音声コマンドに応答し得る。他の手法においては、インターフェース回路１１０は、カメラまたは光センサを含み得、ユーザの（手のジェスチャ、頭部のジェスチャなどの）視覚的ジェスチャ、顔の表情、または眼球運動に応答し得る。
【００３４】
別の実施形態においては、ユーザインターフェース回路１１０は、挿入部位の表示を制御するためのジェスチャを、（例えば、タッチスクリーンもしくはタッチパッドを介して、またはユーザのビデオ監視によって）受け取る。例えば、第１のジェスチャは、挿入部位のズームを制御し得、一方、第２のジェスチャは、挿入部位内に示される詳細のレベルを制御し得る。一例においては、（例えば、挿入部位のズームを制御するための）第１のジェスチャは、２本指でのピンチイン／ピンチアウトジェスチャ（一方はズームインを示し、他方はズームアウトを示す）を含み得る。（例えば、画像において提供される詳細のレベルを制御するための）第２のジェスチャは、第１のジェスチャと異なり得、３本指でのピンチイン／ピンチアウトジェスチャ（一方は詳細のレベルの増加を示し、他方は詳細のレベルの減少を示す）を含み得る。挿入部位の詳細のレベルを制御するために、２本指もしくは３本指での回転ジェスチャ、または２本指もしくは３本指でのスワイプジェスチャを含む、他のジェスチャが、可能である。入力ジェスチャおよび入力コマンドについての多くのバリエーションが、可能である。
【００３５】
レンダリング回路１０２は、様々なズームレベルにおいて、挿入部位の可視領域内にデータアイテムのグラフィカル表現を含めるように、挿入部位のグラフィカル画像をレンダリングする。ディスプレイデバイス１０８は、挿入部位のグラフィカル画像をディスプレイ７０上に表示する。
【００３６】
図３Ａ〜図３Ｃは、教育的ガイダンスモードまたはアプリケーションが、結果ベース学習（ＣＢＬ）プログラムまたは技法など、適切な学習プログラムまたは技法を使用して、末梢ＩＶ療法のための教育的ガイダンスを提供するための方法の一部として、システム４０を使用して、ひとたびアクティブ化されると、機械１００が実施し得る、ロジック３００のフロー図を示している。例えば、１つまたは複数の処理デバイスなど、上で説明された様々な回路要素、および／または機械１００機械の様々なコンポーネントは、図３に示されるロジック３００の一部または全部を実施するように構成され得る。
【００３７】
ステップ３０２において、機械１００は、ネットワーク１１４を介して、ＣＢＬプログラムを開始するための要求をユーザから受信し、要求に応答して、機械１００は、３０４において、そこから選択すべき複数の例示的な人物プロファイルをユーザに提示する。例示的な実施形態においては、例示的な人物プロファイルは、機械１００のディスプレイ７０、または機械１００に動作可能に結合されたディスプレイ上に表示される。例えば、機械１００は、同じ日の内視鏡検査処置のためにいる人を示す、第１の人物プロファイルを提示し得る。腹痛のために緊急治療室におり、コンピュータ断層撮影（ＣＴ）処置を必要とする人を示す、第２の人物プロファイルが、提示される。この人物プロファイルにおいては、看護師または病院職員が、ＩＶ輸液をオーダしており、その人は、入院する可能性がある。息切れのために入院した人であり、鬱血性心不全が除外されていることを示す、第３の人物プロファイルが、提示される。その人は、２日を超える予想入院期間を用いた心臓観察のために、入院している。追加または代替の人物プロファイルが、３０４において、機械１００によって提示され得る。これらの人物プロファイルの各々は、ＩＶ療法のための「正しい」または「適切な」処置および／または製品の異なるセットを必要とし得るが、機械１００は、ＣＢＬプログラムのこの時点においては、正しいまたは最も適切な処置および／または製品をユーザに表示しない。
【００３８】
例えば、第１の人物プロファイルは、第１のカテーテル、延長セットまたは延長セットなし、皮膚消毒または７０％イソプロピルアルコールなどの適切な皮膚準備、適切なコネクタ、およびボーダありフィルムまたはボーダなしフィルムどちらかのドレッシング選択を必要とすることがある。第２の人物プロファイルは、第２のカテーテル、適切な皮膚準備、適切なコネクタ、およびボーダありの透明なフィルムを必要とすることがあるが、しかしながら、この人物プロファイルは、延長セットを必要としないことがある。第３の人物プロファイルは、第３のカテーテル、適切な皮膚準備、適切なコネクタ、およびボーダありの透明なフィルムを必要とすることがあるが、しかしながら、この人物プロファイルは、延長セットを必要としない。
【００３９】
機械１００は、３０５において、ディスプレイ７０上に提示された人物プロファイルのうちの１つを選択することを、ユーザに問い合わせる。ユーザが、ユーザに提示された人物プロファイルのうちの１つをひとたび選択すると、機械１００は、３０６において、ＩＶカテーテルを挿入するための人の付属器（例えば、人の腕）上の挿入部位を選択するように、ユーザに促す。例えば、機械１００は、肘前挿入部位、前腕挿入部位、手首挿入部位、および手挿入部位を含む、挿入部位の選択のための様々な選択肢を表示する。
【００４０】
ステップ３０８において、機械１００は、ユーザによって選択された人物プロファイルに基づいて、選択された挿入部位において人の腕にＩＶカテーテルを適切に挿入するための、適切な製品および／または処置を選択するように、ユーザに命令する。例示的な実施形態においては、機械１００は、トレイ上に利用可能な製品を表示し、最も適切な順番で、使用される適切な製品を選択するように、例えば、クリックアンドドラッグするように、ユーザに命令し得る。これらの実施形態においては、処置のために適切な製品であるとユーザが信じる製品を選択することによって、ユーザは、適切な製品とプラクティスとを結び付けることを要求される。
【００４１】
例えば、特定の実施形態においては、適切な処置は、順番に、最も適切な末梢ＩＶカテーテルを選択すること、カテーテルの挿入のための挿入部位を準備すること、コネクタを提供し、ＩＶカテーテルに結合すること、挿入部位またはその周囲において適切なドレッシングを提供すること、必要に応じて、延長セットを提供すること、およびその後、ラインアクセスプロセスを始めることを含み得る。例示的な実施形態においては、ユーザは、教育的ガイダンスモードまたはアプリケーションを開始するために、最初に、選択された人物プロファイルにとって適切なカテーテルを選択する。第１のカテーテル、第２のカテーテル、および第３のカテーテルなどの複数のカテーテルが、ディスプレイ７０上に表示され得、ユーザは、処置のための最も適切なカテーテルをそこから選択するように促される。ユーザは、その後、挿入のための部位を準備するための適切なプロセスを選択する。クロルヘキシジンのアルコール溶液を用いて挿入部位を準備するかどうか、またはアルコールだけを用いて挿入部位を準備するかどうかなど、複数の可能な準備ステップが、ディスプレイ７０上に表示され得る。ユーザは、選択されたカテーテルに結合するための適切なコネクタを、必要に応じて、選択する。例えば、機械１００は、第１のコネクタ、第２のコネクタ、第３のコネクタ、またはコネクタなしなど、コネクタのための複数の選択肢を表示し得る。ユーザは、人物プロファイルにとって適切なコネクタ選択肢であるとユーザが信じる選択肢を選択する。コネクタ選択肢が、ひとたび選択されると、機械１００は、複数のドレッシング選択肢から適切なドレッシングを選択するように、ユーザに促す。例えば、機械１００は、透明フィルムドレッシング、およびボーダありの透明フィルムドレッシングを含む、いくつかの選択肢をディスプレイ７０上に表示し得る。ユーザは、延長セットが必要とされるかどうかを決定する。例えば、機械１００は、延長セットを使用する選択肢と、延長セットを使用しない選択肢を表示し得る。製品が、選択された人物プロファイルに基づいて、ひとたび選択されると、機械１００は、ラインアクセスプロセスを続行するように、ユーザに促す。
【００４２】
ラインアクセスプロセスの間、ユーザは、３１０において、各プロセスステップを、適切な番号付けされたプロセスステップロケーションにクリック、ドラッグ、およびドロップすることによって、複数のプロセスステップを、最も適切な順番で配置する。例えば、図３Ｐを参照すると、機械１００は、洗浄、水洗、キャップ、薬剤投与を含む、ラインアクセスプロセスの様々なステップを、順不同の列挙で、ディスプレイ７０上に表示し得る。ユーザは、その後、ディスプレイ７０上に表示された、番号付けされたプロセスステップロケーション内に、プロセスステップを順番に適切に配置することを要求される。例示的な実施形態においては、プロセスステップのうちの１つまたは複数は、適切なラインアクセスプロセスの間に、２回以上必要とされることがある。
【００４３】
ステップ３１２において、ユーザが、ラインアクセスプロセスステップを、最も適切な順番であるとユーザが信じる順番で、ひとたび配置すると、機械１００は、次のステップに進むために、選択された腕（すなわち、右腕または左腕）上における選択された挿入部位（例えば、肘前挿入部位、前腕挿入部位、手首挿入部位、または手挿入部位）に、ステッカ５０を位置付けるように、ユーザに命令する。図６に示されるように、機械１００は、選択された挿入部位におけるステッカ５０の配置を示す、ユーザインターフェースを表示する。ユーザインターフェースは、ステッカ５０の適切なアライメントおよび向きも示し得、例えば、選択された腕上の人の手首の方を指す矢印が、ステッカ５０上に表示される。
【００４４】
ステップ３１４において、機械１００は、ユーザのカテーテル組み立て、およびラインアクセスプロセスの列挙の結果を、ディスプレイ７０（または機械１００に動作可能に結合された別の適切なディスプレイ）上に表示する。どのユーザ選択も、最も適切である場合、すなわち、カテーテルが、適切に組み立てられ、ラインアクセスプロセスステップの列挙が、最も適切な順番であった場合、機械１００は、「Ｇｒｅａｔ  Ｊｏｂ！」など、正の強化のための祝辞応答を、ディスプレイ７０上に表示する。しかしながら、１つまたは複数の選択またはプロセスステップが、最も適切ではなかった場合、機械１００は、もしあるならば、不適切な選択と関連付けられた合併症を、ディスプレイ７０上に表示する。
【００４５】
例えば、ユーザが、選択された人物プロファイルに基づいて、カテーテルを誤って選択した場合、機械１００は、対応する人物プロファイルについての、ユーザの製品および／もしくはプラクティス選択の潜在的な結果、ならびに／またはユーザの製品および／もしくはプラクティス選択と関連付けられた合併症について学習するために、ステッカ５０上に機械１００を配置するように、ユーザに命令する。例えば、ある実施形態に従うと、ユーザが、人物プロファイル１を選択した場合、カテーテルについての推奨されるまたは最も適切な選択は、第３のカテーテルである。ユーザが、その状況下において、誤ったカテーテル、例えば、第１のカテーテルまたは第２のカテーテルを選択した場合、機械１００は、誤ったカテーテル選択の結果としての潜在的な合併症を、ディスプレイ７０上に表示する。この場合においては、第１のカテーテルまたは第２のカテーテルのどちらかを誤って選択した結果としての、潜在的な合併症は、存在しない。同様に、ユーザが、人物プロファイル２を選択した場合、カテーテルについての推奨されるまたは最も適切な選択は、第２のカテーテルである。ユーザが、その状況下において、誤ったカテーテル、例えば、第３のカテーテルまたは第１のカテーテルを選択した場合、機械１００は、誤ったカテーテル選択の結果としての潜在的な合併症を、ディスプレイ７０上に表示する。この場合においては、ユーザが、第３のカテーテルを誤って選択した場合、機械１００は、例えば、血管外漏出、浸潤、および／または脱落を含む、この誤ったカテーテル選択と関連付けられた、潜在的な合併症を表示する。ユーザが、第１のカテーテルを誤って選択した場合、機械１００は、例えば、血管外漏出および／または浸潤を含む、この誤ったカテーテル選択と関連付けられた、潜在的な合併症を表示する。同様に、ユーザが、人物プロファイル３を選択した場合、カテーテルについての推奨されるまたは最も適切な選択は、第１のカテーテルである。ユーザが、その状況下において、誤ったカテーテル、例えば、第２のカテーテルまたは第３のカテーテルを選択した場合、機械１００は、誤ったカテーテル選択の結果としての潜在的な合併症を表示する。この場合においては、ユーザが、第２のカテーテルを誤って選択した場合、機械１００は、この誤ったカテーテル選択と関連付けられた潜在的な合併症が存在しないことを表示する。ユーザが、第３のカテーテルを誤って選択した場合、機械１００は、例えば、浸潤および／または脱落を含む、この誤ったカテーテル選択と関連付けられた、潜在的な合併症を表示する。
【００４６】
ユーザが、選択された人物プロファイルに基づいて、コネクタを誤って選択した場合、機械１００は、対応する人物プロファイルについての、ユーザの製品および／もしくはプラクティス選択の潜在的な結果、ならびに／またはユーザの製品および／もしくはプラクティス選択と関連付けられた合併症について学習するために、ステッカ５０上に機械１００を配置するように、ユーザに命令する。例えば、ある実施形態に従うと、ユーザが、誤ったコネクタを選択した場合、機械１００は、例えば、静脈炎および／または閉塞を含む、誤ったコネクタ選択の結果としての潜在的な合併症を表示する。
【００４７】
ユーザが、選択された人物プロファイルに基づいて、ドレッシングを誤って選択した場合、機械１００は、対応する人物プロファイルについての、ユーザの製品および／もしくはプラクティス選択の潜在的な結果、ならびに／またはユーザの製品および／もしくはプラクティス選択と関連付けられた合併症について学習するために、ステッカ５０上に機械１００を配置するように、ユーザに命令する。例えば、ある実施形態に従うと、ユーザが、誤ったドレッシングを選択した場合、機械１００は、例えば、静脈炎および／または脱落を含む、誤ったドレッシング選択の結果としての潜在的な合併症を表示する。
【００４８】
ユーザが、選択された人物プロファイルに基づいて、延長セットを使用するかどうかを誤って選択した場合、機械１００は、対応する人物プロファイルについての、ユーザの製品および／またはプラクティス選択と関連付けられた潜在的な結果および／または合併症について学習するために、ステッカ５０上に機械１００を配置するように、ユーザに命令する。例えば、ある実施形態に従うと、ユーザが、延長セットを使用すること、または使用しないことを誤って選択した場合、機械１００は、例えば、浸潤、静脈炎、および／または脱落といった潜在的な結果を含む、誤った選択の結果としての潜在的な合併症を表示する。
【００４９】
ユーザが、ラインアクセスプロセスステップのうちの１つまたは複数を誤って選択した場合、機械１００は、ユーザの製品および／またはプラクティス選択と関連付けられた潜在的な結果および／または合併症について学習するために、ステッカ５０上に機械１００を配置するように、ユーザに命令する。例えば、ある実施形態に従うと、ユーザが、ラインアクセスプロセスステップのうちの１つまたは複数を誤って選択した場合、機械１００は、例えば、浸潤、脱落、静脈炎といった潜在的な結果を含む、誤った選択の結果としての潜在的な合併症、および／または発生し得る他の潜在的な合併症を表示する。例示的な実施形態においては、機械は、開示された実施形態の拡張現実態様を提供および操作するように構成された、１つまたは複数のスライダボタンなどの、適切なアクチュエータを含む。例えば、ある実施形態においては、機械は、例えば、刺激、炎症、および／もしくは感染を示す、様々な皮膚の色合い、人の血管系の様々な深さ、ならびに／またはスライダボタンがユーザによって操作されたときに開始し、進行する、合併症のタイムラプス画像など、データアイテムを提供するように構成される。
【００５０】
機械１００が、誤った選択、ならびに１つまたは複数の誤った選択からもたらされる合併症および／または潜在的なリスクを、ひとたびユーザに表示すると、機械１００は、ユーザがその人についてのより良い結果を達成したいかどうかを決定するように、ユーザに促す。ひとたび促されると、ユーザは、その人についてのより良い結果を達成するために、教育的ガイダンスモードまたはアプリケーションを続行することを決定し得る。ある実施形態においては、製品、例えば、カテーテル、コネクタ、ドレッシング、延長セット、および／またはラインアクセスプロセス選択が、正しくない場合、機械１００は、適切な製品を再選択するために、またはラインアクセスプロセスのステップを順番通りに再配置するために、関連する選択ステップまで移動するように、ユーザに促す。例えば、ユーザが、カテーテルを誤って選択した場合、機械１００は、ユーザが異なるカテーテルを選択することができるように、カテーテルを選択するためのプロンプトにユーザを向かわせる。特定の実施形態においては、ユーザが、準最適または不適切なカテーテルを再び選択した場合、機械１００は、最も適切なカテーテルに関する情報を提供する。ユーザが、最初に、誤った、すなわち、最も適切ではない製品またはステップを選択した場合、他の製品、例えば、コネクタ、ドレッシング、および／もしくは延長セット、ならびに／またはラインアクセスプロセスステップを選択するために、同様のプロセスが、利用可能である。ユーザが、ひとたび、最も適切な製品を選択し、ラインアクセスプロセスステップを最も適切な順番で位置付けると、機械１００は、３２２において、ユーザが末梢ＩＶ療法についてより多く学習したいかどうかを、ユーザに問い合わせる。ユーザが、より多く学習することに関心がない場合、教育的ガイダンスモードまたはアプリケーションは、閉じられる。一実施形態においては、機械１００は、３２４において、適切なサイト、例えば、アプリケーション評価の結果を提供するマイクロサイトへのリンクを、ユーザに提供し、および／またはユーザが完了すべき調査を提供する、適切なサイトもしくはマイクロサイトにユーザを向かわせる。
【００５１】
図４〜図２７および図５８をここで参照すると、例示的な実施形態においては、機械１００は、結果ベース学習（ＣＢＬ）プログラムまたはアプリケーションなどの適切な学習プログラムを使用して、末梢ＩＶ療法のための教育的ガイダンスを提供するための方法の一部として実施され得る。機械１００は、様々な実施形態に従った方法の一部として、図３のフロー図に示されるロジックに類似した、またはそれと異なるロジックを実施し得る。例えば、１つまたは複数の処理デバイスなど、上で説明された様々な回路要素、および／または機械１００の様々なコンポーネントは、ＣＢＬプログラムまたはアプリケーションの間に、機械１００によって実施されるロジックの一部または全部を実施するように構成され得る。図４は、機械１００が、様々な実施形態に従った方法の一部として実施し得る、ロジック４００のフロー図を示す。図５〜図２７は、ＣＢＬプログラムまたはアプリケーションの間に、ロジック４００の様々なステップと関連付けられ、機械１００のディスプレイ７０上に表示される、例示的なユーザインターフェースを例示している。
【００５２】
ステップ４０２において、機械１００は、ネットワーク１１４を介して、ユーザからＣＢＬプログラムを開始するための要求を受信し、要求に応答して、機械１００は、４０４において、そこから選択すべき複数の例示的な人物プロファイルを含むメインメニューを、ユーザに提示する。例えば、機械１００は、日常的な処置のために来院した、３５歳の健康な右利きの男性を示す、第１の人物プロファイル（ＩＶのための好ましい挿入部位は、利き手でない左前腕である）、右下肢虚血のために来院した、静脈が虚弱化した、８５歳の糖尿病の右利きの女性を示す、第２の人物プロファイル（ＩＶのための好ましい挿入部位は、利き手でない左前腕である）、閉塞した右前腕ループ動静脈グラフトのために来院した、５０歳の血液透析中の左利き男性を示す、第３の人物プロファイル（ＩＶのための好ましい挿入部位は、グラフトのない左前腕であるを提示し得る。追加または代替の人物プロファイルが、４０４において、機械１００によって、提示され得る。
【００５３】
ユーザが、ユーザに提示された人物プロファイルのうちの１つをひとたび選択すると、機械１００は、４０６において、ＩＶカテーテルを挿入するための人の付属肢（例えば、人の腕）上の挿入部位を選択するように、ユーザに促す。図５に示されるように、機械１００は、挿入部位をそこから選択する複数の挿入部位を示す、ユーザインターフェースを表示する。例えば、図５に示されるように、ユーザインターフェースは、肘前挿入部位、前腕挿入部位、手首挿入部位、および手挿入部位を含む、選択のための様々な選択肢を表示する。ユーザインターフェースは、選択された人物プロファイルに少なくとも部分的に応じて、好ましい挿入部位を示す、テキストインジケータ、および／または視覚インジケータ、例えば、色もしくは強調表示された選択肢を含み得る。特定の実施形態においては、機械１００は、最も適切な挿入部位を選択することに関するガイダンスを提供する、情報テキストを示す。例えば、情報テキストは、カテーテル挿入中に発生することができる、潜在的な合併症についてユーザに助言し、および／またはＩＶのための挿入部位を選択するときに、合併症の可能性を最小限に抑えるために、ユーザが考慮すべき１つまたは複数のポイントを提供し得る。ある実施形態においては、情報テキストは、カテーテルによる合併症は、どこでも発生することができるが、肘前挿入部位または手首挿入部位などの屈曲領域は、避けられるべきであることを示す、インジケーションを含み得る。
【００５４】
さらに、情報テキストは、手挿入部位は、他の部位（例えば、前腕挿入部位などの好ましい挿入部位）と比較して、閉塞および偶発的な脱落の増加に結び付けられていることなど、追加情報を含み得る。情報テキストは、例えば、処方された治療のために必要とされるカテーテルの外径および／もしくは長さに最もよく適合する静脈の選択、ならびに／または限定なしに、人の年齢、診断、併存疾患、挿入部位における血管系の状態、挿入部位における人の皮膚の状態、ＩＶ挿入についての人の前歴、注入療法のタイプおよび／もしくは継続期間、ＩＶ部位選択についての人の好み、もしくはそれらの任意の適切な組み合わせを含む、人の状態の評価を含む、合併症を最小限に抑えるために考慮すべき追加のポイントも含み得る。
【００５５】
ステップ４１０において、機械１００は、ユーザが、好ましい挿入部位を選択したか、それとも好ましくない挿入部位を選択したかを決定する。ユーザが、促すステップ４０６に応答して、好ましくない挿入部位（例えば、肘前挿入部位、手首挿入部位、または手挿入部位）を選択した場合、プロセッサ７０２など、機械１００の処理デバイスは、選択された腕の第１のグラフィカル画像をレンダリングし、ステップ４１２において、ディスプレイ７０は、図７に示されるように、第１のグラフィカル画像をユーザインターフェース上に表示する。ユーザインターフェースは、ユーザが好ましくない挿入部位を選択したことを、ユーザに示す、情報テキストを含み得る。情報テキストは、肘前挿入部位または手首挿入部位などの屈曲領域に配置されたカテーテルは、機械的な合併症につながる関節の屈曲のせいで、より高い失敗率になる傾向があることを示すインジケーションも含み得る。情報テキストは、触診で屈曲領域および痛み領域を回避するためのベストプラクティスも示し得る。情報テキストは、手挿入部位が、著しくより高い率の偶発的な外れおよび閉塞に結び付けられていることも示し得る。
【００５６】
ステップ４１４において、ディスプレイ７０は、選択された好ましくない挿入部位と関連付けられた、１つまたは複数の合併症を表示する。例えば、図８に示されるような、ユーザインターフェースは、失敗の理由、ならびに／またはユーザインターフェース上において弓形もしくは円形パターンを有するメニュー内に配置された、静脈炎、感染、血管外漏出、脱落、閉塞、および浸潤など、好ましくない腕にＩＶカテーテルを挿入したことと関連付けられた合併症を示し得る。追加の教育的ガイダンスを提供するために、ステップ４１６において、機械１００は、選択された合併症に関するさらなる情報のために、示された合併症のうちの１つを選択するように、ユーザに促す。ユーザインターフェースは、ユーザインターフェース上に表示されるような合併症のために、意図された滞留時間の前に、最大で５０％のカテーテルは取り外さなければならないことを示すとともに、特定の合併症についてより多く学習するために、メニューから合併症のうちの１つを選択するように、ユーザに促す、情報テキストを含み得る。例示的な実施形態においては、ステップ４１８において、機械１００の処理デバイスは、選択された合併症を示す、人の腕のグラフィカル画像をレンダリングし、ステップ４２０において、ディスプレイ７０は、グラフィカル画像をユーザインターフェース上に表示する。ユーザインターフェースは、どの合併症が選択されたか、合併症の定義、および／または選択された合併症と関連付けられたリスクのインジケーションを示す、情報テキストを含み得る。
【００５７】
例えば、ステップ４１６において、ユーザが、静脈炎についてより多く学習することを選択した場合、ステップ４１８において、機械１００の処理デバイスは、静脈炎を示す、人の腕のグラフィカル画像をレンダリングし、ステップ４２０において、ディスプレイ７０は、図９に示されるようなグラフィカル画像をユーザインターフェース上に表示する。ユーザインターフェースは、ユーザが静脈炎を選択したことを示し、「静脈炎」を、機械的、化学的、および／もしくは細菌性刺激のせいで、カニューレを挿入された静脈に沿って発生することができる、静脈の炎症として定義する、情報テキスト、ならびに／または静脈炎の影響を例示する、図１０に示されるような、追加のグラフィカル画像を含み得る。情報テキストは、カニューレの動きによる血管壁の刺激に起因する、屈曲点における増加など、静脈炎と関連付けられたリスクも示し得る。
【００５８】
ステップ４１６において、ユーザが、浸潤についてより多く学習することを選択した場合、ステップ４１８において、機械１００の処理デバイスは、浸潤を示す、人の腕のグラフィカル画像をレンダリングし、ステップ４２０において、ディスプレイ７０は、図１１に示されるようなグラフィカル画像をユーザインターフェース上に表示する。ユーザインターフェースは、ユーザが浸潤を選択したことを示し、「浸潤」を、カテーテルの静脈壁内への侵食もしくは静脈壁の貫通からもたらされる、周囲組織への非びらん性溶液の不注意な漏出として定義する、情報テキスト、および／または浸潤の影響を例示する、図１２に示されるような、追加のグラフィカル画像を含み得る。情報テキストは、例えば、浸潤が、最も一般的なカテーテル合併症であることも示し得る。情報テキストは、最も高い可能性として、貧弱な静脈壁健常性をもたらす外傷を引き起こす、血管壁に対するカニューレ先端の動きのせいで、屈曲領域（例えば、肘前挿入部位または手首挿入部位）に配置された末梢ＩＶが、浸潤のより高い率を有する傾向があることも示し得る。
【００５９】
ステップ４１６において、ユーザが、感染についてより多く学習することを選択した場合、ステップ４１８において、機械１００の処理デバイスは、感染を示す、人の腕のグラフィカル画像をレンダリングし、ステップ４２０において、ディスプレイ７０は、図１３に示されるようなグラフィカル画像をユーザインターフェース上に表示する。ユーザインターフェースは、ユーザが感染を選択したことを示し、「感染」を、局所的もしくは全身的影響を有する病原微生物の存在および増殖として定義する、情報テキスト、ならびに／または感染の影響を例示する、図１４に示されるような、追加のグラフィカル画像を含み得る。情報テキストは、例えば、感染が、薬物投与中の貧弱な皮膚消毒、および／または受けたＩＶ投薬治療の頻度、ならびに感染についての他のリスク因子の結果であり得ることも示し得る。
【００６０】
ステップ４１６において、ユーザが、閉塞についてより多く学習することを選択した場合、ステップ４１８において、機械１００の処理デバイスは、閉塞を示す、人の腕のグラフィカル画像をレンダリングし、ステップ４２０において、ディスプレイ７０は、図１５に示されるようなグラフィカル画像をユーザインターフェース上に表示する。ユーザインターフェースは、ユーザが閉塞を選択したことを示し、「閉塞」を、以前は機能していたカテーテルを通して液体および／もしくは薬剤を注入できないこととして定義する、情報テキスト、ならびに／または閉塞の影響を例示する、図１６に示されるような、追加のグラフィカル画像を含み得る。情報テキストは、例えば、カテーテル閉塞が、カテーテルのねじれ、カテーテル上および／もしくはカテーテル内に形成された血栓、ならびに／または浸潤もしくは血管外漏出を伴わない血管壁内へのカテーテル先端の移動など、機械的障害物の結果として起こり得ることも示し得る。情報テキストは、動きに影響される屈曲領域へのカテーテルの挿入など、閉塞についてのリスクも示し、したがって、屈曲およびねじれ、ならびに血管壁に対する動きも、組織に対する損傷、および後の血栓形成を引き起こすことができることを示し得る。
【００６１】
ステップ４１６において、ユーザが、脱落についてより多く学習することを選択した場合、ステップ４１８において、機械１００の処理デバイスは、脱落を示す、人の腕のグラフィカル画像をレンダリングし、ステップ４２０において、ディスプレイ７０は、図１７に示されるようなグラフィカル画像をユーザインターフェース上に表示する。ユーザインターフェースは、ユーザが脱落を選択したことを示し、「脱落」を、カテーテルが衣服に引っ掛かったこと、もしくは固定が貧弱だったカテーテルなど、様々な理由のために発生することができる、カテーテルの意図しない外れとして定義する、情報テキスト、および／または脱落の影響を例示する、図１８に示されるような、追加のグラフィカル画像を含み得る。情報テキストは、例えば、専用の固定デバイスを選択することが、カテーテル脱落を減らすことに直接的な効果を有し、カテーテル寿命を改善することにおいて著しい利益を示したことも示し得る。
【００６２】
ステップ４１６において、ユーザが、血管外漏出についてより多く学習することを選択した場合、ステップ４１８において、機械１００の処理デバイスは、血管外漏出を示す、人の腕のグラフィカル画像をレンダリングし、ステップ４２０において、ディスプレイ７０は、図１９に示されるようなグラフィカル画像をユーザインターフェース上に表示する。ユーザインターフェースは、ユーザが血管外漏出を選択したことを示し、「血管外漏出」を、周囲組織へのびらん性もしくは腐食性溶液の不注意な漏出として定義する、情報テキスト、および／または血管外漏出の影響を例示する、図２０に示されるような、追加のグラフィカル画像を含み得る。情報テキストは、例えば、他の合併症と同様に、カテーテルの配置および物理的属性が、血管外漏出の比率において役割を果たすことも示し得る。情報テキストは、浸潤とは異なり、びらん性の血管外漏出が、注入されている溶液の薬理学的特性のせいで、進行性の組織損傷を引き起こすこと、ならびに／または早期の同定および介入が、深刻な有害転帰の予防に重要であることも示し得る。
【００６３】
しかしながら、ユーザが、促すステップ４０６に応答して、好ましい挿入部位（例えば、前腕挿入部位）を選択した場合、機械１００の処理デバイスは、選択された腕のグラフィカル画像をレンダリングし、ステップ４２２において、ディスプレイ７０は、図２１に示されるようなグラフィカル画像をユーザインターフェース上に表示して、ユーザが、好ましい挿入部位を正しく選択したことを示す。ユーザインターフェースは、例えば、前腕挿入部位においては屈曲がない（または最小限の屈曲しかない）ので、前腕挿入部位と関連付けられたカテーテル合併症のリスクがより低いこと、ならびに手挿入部位または肘前挿入部位よりも前腕挿入部位を選択することは、滞留時間を増加させ、滞留時間中の痛みを低減させ、セルフケアを促進し、偶発的な外れおよび閉塞を予防または制限することができることを、研究が論証していることを含む、前腕挿入部位が末梢ＩＶカテーテルのための好ましい挿入部位である理由をユーザに示す、情報テキストを含み得る。情報テキストは、挿入部位として前腕を選択したときは、挿入時の痛みおよび可能な神経損傷のため、ユーザは、手首の腹側表面を避けるべきであることを示すインジケーション、ならびに／または前腕は、肘前、手首、もしくは手領域よりも好ましい挿入部位であるが、合併症の臨床兆候および症状に対する注意深い監視が、依然として必要であることを示すインジケーションなど、カテーテル挿入に関する追加のガイダンスも含み得る。
【００６４】
例示的な実施形態においては、ステップ４２４において、機械１００は、次のステップに進むために、ステッカ５０を、好ましい腕（すなわち、右腕または左腕）上の好ましい挿入部位（例えば、前腕挿入部位）に位置付けるように、ユーザに命令する。図２２に示されるように、機械１００は、好ましい挿入部位におけるステッカ５０の配置を示す、ユーザインターフェースを表示する。ユーザインターフェースは、ステッカ５０の適切なアライメントおよび向きも示し得、例えば、選択された腕上の人の手首の方を指す矢印が、ステッカ５０上に表示される。
【００６５】
ステッカ５０が、前腕挿入部位に適切に位置付けられると、機械１００は、その後、ステップ４２６において、適切な末梢ＩＶ療法についてより多く学習することにユーザが関心があるかどうかを、ユーザに問い合わせる。ユーザが、適切な末梢ＩＶ療法についてより多く学習することに関心があることを示した場合、機械１００は、４２８において、例えば、適切なＩＶカテーテル選択のための考慮事項、ＩＶカテーテルを適切に挿入するための指図情報、および／またはＩＶカテーテルに適切にアクセスし、メンテナンスするための指図情報を含む、１つまたは複数の学習トピックをユーザに提供する。
【００６６】
例えば、ユーザが、適切なＩＶカテーテル選択のための考慮事項についてより多く学習することを選択した場合、ディスプレイ７０は、図２３に示されるように、例えば、外来患者環境、撮像環境、または緊急治療室もしくは入院患者環境など、人が置かれる環境を含む、適切なＩＶカテーテルを選択するときの考慮事項の１つまたは複数のトピックを示す、ユーザインターフェースを表示する。ユーザインターフェースは、適切なタイプの末梢血管アクセスデバイス（ＶＡＤ）は、患者環境に少なくとも部分的に応じて選択され得、いくつかの考慮事項が、特定の患者環境において、どのＶＡＤを使用すべきかに影響し得ることをユーザに示す、情報テキストを含み得る。
【００６７】
例えば、情報テキストは、適切なＶＡＤが、処方された療法または治療計画、療法の予想される継続期間、人の血管特性、ならびに人の年齢、併存疾患、注入療法の履歴、ＶＡＤロケーションについての好み、ならびにデバイスのケアに利用可能な能力およびリソースに基づいた、人の血管アクセスニーズに適合すべきであることをユーザに示し得る。情報テキストは、選択されたＶＡＤが、管腔の数が最も少なく、最小の外径を有するべきであり、処方された療法のために必要とされる侵襲性が最小のデバイスであることを示し得る。さらに、血管アクセスを計画するときは、末梢静脈保存が、検討されることがある。小児および成人における短い末梢およびミッドラインカテーテルは、部位評価からの所見、ならびに／または全身合併症の臨床兆候および症状に基づいて、臨床的に必要とされるときは、取り外されることがある。安全設計されたデバイスが、選択され、可能なときは、一貫してアクティブ化および／または使用されることがある。カテーテル操作を減らすために、末梢カテーテルとコネクタとの間における延長セットの使用が、検討されることがある。代替的実施形態においては、そのような情報テキストは、異なり得、例えば、追加の推奨事項を含み、ある推奨事項を削除し、および／またはある推奨事項を変更し得る。
【００６８】
図２４を参照すると、ユーザが、ＩＶカテーテルを適切に挿入するための考慮事項についてより多く学習することを選択した場合、ディスプレイ７０は、最初に皮膚消毒が実行されることをユーザに示し、最新のＩＮＳ実施基準が、０．５％を超えるクロルヘキシジンのアルコール溶液の皮膚消毒剤を使用することを推奨することを示す、情報テキストを含み得る、ユーザインターフェースを表示する。さらに、情報テキストは、クロルヘキシジンアルコール溶液に対する禁忌がある場合、ヨードチンキ、ヨードフォア（ポビドンヨード）、または７０％アルコールも、使用され得ることを示し得る。情報テキストは、例えば、消毒剤は、挿入前に、完全に乾くことが可能であるべきこと、新しい使い捨て手袋が、末梢ＩＶ挿入の「ノータッチ」技法とともに、使用されるべきである、すなわち、挿入部位は、皮膚消毒後、触れられないことを示し得る。情報テキストは、限定なしに、例えば、血管アクセスが困難な人に対する成功を高めるために、血管視覚化技術を使用すること、処方された療法および人のニーズに適合する、最小ゲージ末梢カテーテルを選択すること、ならびに／または末梢カテーテルは、継続的なびらん性療法、非経口栄養、もしくは９００ｍＯｓｍ／Ｌを超える浸透圧を有する注入液のためには使用されるべきではない旨の警告を含む、追加の考慮事項も示し得る。ある例示的な実施形態においては、機械１００は、図２５に示されるような情報を含む、末梢ＩＶカテーテルを挿入するためのベストプラクティスを例示するビデオを、ディスプレイ７０上に表示するように構成される。
【００６９】
図２６を参照すると、ユーザが、適切にＩＶカテーテルにアクセスし、それをメンテナンスするための考慮事項についてより多く学習することを選択した場合、ディスプレイ７０は、カテーテルがひとたび所定の位置に配置されると、ユーザは、例えば、操作を最小限に抑え、複数のコンポーネントを減らすために、末梢カテーテルと無針コネクタとの間において延長セットを使用するかどうか、ＶＡＤ合併症およびアクセスの意図しない喪失を防ぐために、ＶＡＤを安定化および固定すること、すべての末梢カテーテル上において、滅菌ドレッシングを適用およびメンテナンスすること、各ＶＡＤアクセスの前に、無針コネクタの手動消毒のために、精力的な機械的洗浄を実行し、無針コネクタが乾燥することを可能にすること、各断続的ＶＡＤ使用の前に、継続的な注入に伴って臨床的に必要とされるように、逆流血液の水洗および吸引を行うことによって、ＶＡＤ機能にアクセスすること、ＣＲ−ＢＳＩのリスクを低減させ、シリンジ準備のためのスタッフ時間を節約し得る、市販のプレフィルドシリンジを使用するかどうか、目視検査、および無損傷ドレッシングを通した触診によって、および痛み、感覚異常、しびれ、もしくはうずきを含む、いずれかの不快感についての人の報告を通して、赤み、圧痛、腫れ、および／もしくは排膿について、ＶＡＤカテーテル−皮膚接合部位および周辺領域にアクセスすること、無針コネクタを使用するときは、ＶＡＤ内への血液逆流量を減らすために、カテーテル固定および最終的なシリンジ分離の適切な順番についての製造業者の指示に従っていることを確認すること、ならびに／または、管腔内微生物汚染を低減させるために、消毒キャップの使用を検討することを考慮すべきであることをユーザに示す、情報テキストを含み得る、ユーザインターフェースを表示する。ある例示的な実施形態においては、機械１００は、図２７に示されるような情報を含む、末梢ＩＶカテーテルにアクセスし、それをメンテナンスするためのベストプラクティスを例示するビデオを、ディスプレイ７０上に表示するように構成される。
【００７０】
図２８〜図５８をここで参照すると、例示的な実施形態においては、機械１００は、結果ベース学習（ＣＢＬ）プログラムまたはアプリケーションなど、適切な学習プログラムを使用して、末梢ＩＶ療法のための教育的ガイダンスを提供するための方法の一部として、実施され得る。機械１００は、様々な実施形態に従った方法の一部として、図３のフロー図に示されるロジックに類似した、またはそれと異なるロジックを実施し得る。例えば、１つまたは複数の処理デバイスなどの、上で説明された様々な回路要素、および／または機械１００の様々なコンポーネントは、ＣＢＬプログラムまたはアプリケーションの間に、機械１００によって実施されるロジックの一部または全部を実施するように構成され得る。図２８は、機械１００が、様々な実施形態に従った方法の一部としてし得る、ロジック５００のフロー図を示す。図２９〜図５７は、ロジック５００の様々なステップと関連付けられ、ＣＢＬプログラムまたはアプリケーションの間に、機械１００のディスプレイ７０上に表示される、例示的なユーザインターフェースを例示している。
【００７１】
例示的な実施形態においては、ＣＢＬプログラムまたはアプリケーションは、「Ｓｔａｒｔ」ボタン６０２を含む、図２９に示されるような、ｗｅｌｃｏｍｅ画面６００で始まる。ユーザが、Ｓｔａｒｔボタン６０２を押すことによって、ステップ５０２において、機械１００は、ネットワーク１１４を介して、ユーザからＣＢＬプログラムを開始するための要求を受信し、要求に応答して、機械１００は、５０４において、そこから選択すべき複数の例示的な人物プロファイルを含むメインメニューを、ユーザに提示する。メインメニューを提示する前に、ＣＢＬプログラムまたはアプリケーションは、ＣＢＬプログラムまたはアプリケーションの目的および／またはプロセスを要約した、導入ビデオを起動し得る。ある実施形態においては、機械１００は、例えば、図３０に示されるような、適切な免責事項６０６、および／またはこの体験は、末梢ＩＶ内療法と関連付けられた不必要な合併症の認識を育て、これらの合併症を減らす助けとなる、製品選択および臨床診療の周りの教育リソースを提供するために、開発されたと述べている、図３１Ａに示されるような、ｗｅｌｃｏｍｅメッセージ６０８を含む、画面を提示する。ある実施形態においては、追加の導入画面が、含まれ得る。例えば、機械１００は、図３１Ｂに示されるような、利用条件画面、図３１Ｃに示されるような、モバイルアプリケーションエンドユーザライセンス契約、図３１Ｄに示されるような、モバイルアプリケーションプライバシ通知画面、および／または図３１Ｅに示されるような、参考文献画面を提示し得る。
【００７２】
例示的な実施形態においては、ステップ５０４において、機械１００は、ユーザの血管アクセス管理（「ＶＡＭ」）体験を開始するために、人物プロファイルをそこから選択する、複数の例示的な人物プロファイル６１２、６１４、６１６を含む、メインメニュー６１０を提示する。例えば、図３２に示されるように、メインメニュー６１０は、同じ日の内視鏡検査処置のためにいる人を示す、「Ｄａｖｉｄ」として識別される、第１の人物プロファイル６１２と、腹痛のために緊急治療室におり、ＣＴを必要とする人を示す、「Ａｓｈａ」として識別される、第２の人物プロファイル６１４であって、ＩＶ輸液がオーダされており、Ａｓｈａは入院する可能性があることが注目される、第２の人物プロファイル６１４と、息切れ、および２日を超える予想入院期間による心臓観察のために入院した人を示す、「Ｆｒｅｄ」として識別される、第３の人物プロファイル６１６とを提示し得る。追加または代替の人物プロファイルが、５０４において、機械１００によって提示され得る。これらの人物プロファイルの各々は、ＩＶ療法のための「正しい」、「最適な」、または「適切な」処置および／または製品の異なるセットを必要とし得るが、機械１００は、ＣＢＬプログラムのこの時点においては、正しいまたは最も適切な処置および／または製品をユーザに表示しない。
【００７３】
ユーザが、ユーザに提示された人物プロファイルのうちの１つをひとたび選択すると、機械１００は、ＩＶカテーテルを挿入するための人の付属肢（例えば、人の腕）上の挿入部位を選択するように、ユーザに促す。図３３に示されるように、機械１００は、そこから挿入部位を選択する、複数の挿入部位を示す、ユーザインターフェースを表示する。例えば、図３３に示されるように、ユーザが、「Ｄａｖｉｄ」として識別される第１の人物プロファイル６１２を選択した後、ユーザインターフェースは、肘前挿入部位、前腕挿入部位、および手首挿入部位を含む、挿入部位の選択のための様々な選択肢を表示する。同様に、ユーザが、「Ａｓｈａ」として識別される第２の人物プロファイル６１４（図３４を参照）、または「Ｆｒｅｄ」として識別される第３の人物プロファイル６１６（図３５を参照）を選択した場合、ユーザインターフェースは、肘前挿入部位、前腕挿入部位、および手首挿入部位を含む、挿入部位を選択するための様々な選択肢を表示する。
【００７４】
ユーザインターフェースは、選択された人物プロファイルに少なくとも部分的に応じて、好ましい挿入部位を示す、テキストインジケータ、および／または視覚インジケータ、例えば、色もしくは強調表示された選択肢を含み得る。ユーザインターフェースは、選択された人物プロファイルの要約６２０も含み得る。特定の実施形態においては、機械１００は、最も適切な挿入部位を選択することに関するガイダンスを提供する、情報テキストを生成する。例えば、情報テキストは、カテーテル挿入中に発生することができる、潜在的な合併症についてユーザに助言し、および／またはＩＶのための挿入部位を選択するときに、合併症の可能性を最小限に抑えるために、ユーザが考慮すべき１つもしくは複数のポイントを提供し得る。ある実施形態においては、情報テキストは、カテーテルによる合併症は、どこでも起こることができるが、肘前挿入部位または手首挿入部位などの屈曲領域は、避けられるべきであることを示す、インジケーションを含み得る。
【００７５】
さらに、情報テキストは、手挿入部位は、他の部位（例えば、前腕挿入部位などの好ましい挿入部位）と比較して、閉塞および偶発的な脱落の増加に結び付けられていることなど、追加情報を含み得る。情報テキストは、例えば、処方された治療のために必要とされるカテーテルの外径および／もしくは長さに最もよく適合する静脈の選択、ならびに／または限定なしに、人の年齢、診断、併存疾患、挿入部位における血管系の状態、挿入部位における人の皮膚の状態、ＩＶ挿入についての人の前歴、注入療法のタイプおよび／もしくは継続期間、ＩＶ部位選択についての人の好み、もしくはそれらの任意の適切な組み合わせを含む、人の状態の評価を含む、合併症を最小限に抑えるために考慮すべき追加のポイントも含み得る。
【００７６】
ステップ５０８において、機械１００は、ユーザによって選択された人物プロファイルに基づいて、選択された挿入部位において人の腕にＩＶカテーテルを適切に挿入するための、適切な製品および／または処置を選択するように、ユーザに命令する。例えば、第１の人物プロファイルで識別された人は、第１のカテーテル、延長セットまたは延長セットなし、皮膚消毒または７０％イソプロピルアルコールなどの適切な皮膚準備、適切なコネクタ、およびボーダありフィルムまたはボーダなしフィルムのどちらかのドレッシング選択を必要とすることがある。第２の人物プロファイルで識別された人は、第２のカテーテル、適切な皮膚準備、適切なコネクタ、およびボーダありの透明なフィルムを必要とすることがあるが、しかしながら、この人物プロファイルは、延長セットを必要としないことがある。第３の人物プロファイルで識別された人は、第３のカテーテル、適切な皮膚準備、適切なコネクタ、およびボーダありの透明なフィルムを必要とすることがあるが、しかしながら、この人物プロファイルは、延長セットを必要としない。
【００７７】
例示的な実施形態においては、ＣＢＬプログラムまたはアプリケーションは、その後、図３６に示されるような、トレイ選択命令画面６２２を続行する。例えば、試行選択命令画面６２２は、ユーザが、選択された人物プロファイルで識別される個人に対するＩＶアクセスを獲得するために使用する、１つまたは複数の製品を選択することを要求されることを示し得る。ユーザが、サブミット（ｓｕｂｍｉｔ）ボタン６２４を押したとき、ステップ５１０において、機械１００は、ネットワーク１１４を介して、ＣＢＬプログラムまたはアプリケーションの製品選択部分を開始するための要求を受信し、要求に応答して、機械１００は、５１２において、図３７に示されるような、ＩＶアクセスを獲得するために利用され得る、複数の例示的な製品カテゴリを含む、メイン製品メニューを、ユーザに提示する。
【００７８】
例示的な実施形態においては、機械１００は、トレイ上に利用可能な製品を表示し、５１４において、ＩＶアクセスを獲得するために使用される最も適切な製品を選択する、例えば、クリックアンドドラッグするように、ユーザに命令し得る。これらの実施形態においては、処置のための最も適切な製品であるとユーザが信じる製品を選択することによって、ユーザは、最も適切な製品とプラクティスと結び付けることを要求される。例えば、特定の実施形態においては、適切な処置は、順番に、最も適切な末梢ＩＶカテーテルを選択すること、カテーテルの挿入のための挿入部位を準備すること、コネクタを提供し、ＩＶカテーテルに結合すること、挿入部位またはその周囲において適切なドレッシングを提供すること、必要に応じて、延長セットを提供すること、およびその後、ラインアクセスプロセスを始めることを含み得る。
【００７９】
例示的な実施形態においては、ユーザは、選択された人物プロファイルにとって最も適切なカテーテルを選択する。第１のカテーテル、第２のカテーテル、および第３の第３のカテーテルなどの複数のカテーテルが、ディスプレイ７０上に表示され得、ユーザは、処置のための最も適切なカテーテルをそこから選択するように促される、ユーザは、挿入のための部位を準備するための最も適切なプロセスも選択する。クロルヘキシジンのアルコール溶液を用いて挿入部位を準備するかどうか、またはアルコールだけを用いて挿入部位を準備するかどうかなど、複数の可能な準備ステップが、ディスプレイ７０上に表示され得る。ユーザは、選択されたカテーテルに結合するための最も適切なコネクタも、必要に応じて、選択する。例えば、機械１００は、第１のコネクタ、第２のコネクタ、第３のコネクタ、またはコネクタなしなど、コネクタのための複数の選択肢を表示し得る。ユーザは、人物プロファイルにとって最も適切なコネクタ選択であるとユーザが信じる選択を選択する。同様に、ユーザは、複数のドレッシングの選択肢から最も適切なドレッシングを選択する。例えば、機械１００は、透明フィルムドレッシング、およびボーダありの透明フィルムドレッシングを含む、いくつかの選択肢をディスプレイ７０上に表示し得る。ユーザは、延長セットが必要とされるどうかをさらに決定し得る。例えば、機械１００は、「Ｙｅｓ」として示される、延長セットを使用するための選択肢、および「Ｎｏ」として示される、延長セットを使用しないための選択肢を表示し得る。
【００８０】
図３７〜図４０を参照すると、例示的な実施形態においては、例えば、コネクタ（Connector）ウィンドウ６２６上においてクリックすることによって、ユーザが、「コネクタ」ウィンドウ６２６を選択した場合、ユーザは、図３８において識別されるコネクタＡ６２８、図３９において識別されるコネクタＢ６３０、図４０に示される、コネクタＣ６３２、例えば、Ｍａｘｚｅｒｏ（商標）無針コネクタを選択し得る。人物プロファイルと関連付けられた最も適切なコネクタであるとユーザが信じるコネクタを選択するために、ユーザは、選択されたコネクタをクリックアンドドラッグし、選択されたコネクタを、「Ｐｌａｃｅ  Ｐｒｏｄｕｃｔ  Ｈｅｒｅ」と書かれたテキストを含む、図３７に示されるような、マーカ６３４まで移動することができる。同様に、図４１に示されるように、例えば、ＰＩＶＣウィンドウ６３６上においてクリックすることによって、ユーザは、末梢静脈カテーテル（「ＰＩＶＣ」）を選択する。ＰＩＶＣウィンドウ６３６内において、ユーザは、ディスプレイ７０上に表示された、第１のカテーテル、例えば、ＢＤ  ＮｅｘＩＶａ（商標）Ｄｉｆｕｓｉｃｓ（商標）カテーテル、第２のカテーテル、および第３のカテーテルなど、１つまたは複数の利用可能なＰＩＶＣから、選択された人物プロファイルにとって適切または最も適切なＰＩＶＣを選択し得る。図４２をさらに参照すると、処置のための、人物プロファイルと関連付けられた最も適切なＰＩＶＣであるとユーザが信じるＰＩＶＣを選択するために、ユーザは、選択されたＰＩＶＣをクリックアンドドラッグし、選択されたＰＩＶＣを、「Ｐｌａｃｅ  Ｐｒｏｄｕｃｔ  Ｈｅｒｅ」と書かれたテキストを含む、マーカ６３８まで移動することができる。ある実施形態においては、ユーザは、図４２に示されるような、リムーブ（ｒｅｍｏｖｅ）ボタン６４０を使用して、選択されたＰＩＶＣを削除し、選択されたＰＩＶＣを、処置のためにより適切であるとユーザが信じる別のＰＩＶＣで置き換えることができる。
【００８１】
ユーザが、選択された人物プロファイルに最も適切な製品であるとユーザが信じる製品をひとたび選択すると、ＣＢＬプログラムまたはアプリケーションは、ラインアクセスプロセスを続行する。例示的な実施形態においては、ＣＢＬプログラムまたはアプリケーションは、図４３に示されるような、ラインアクセスプロセス命令画面６４２を続行する。例えば、画面６４２は、ユーザが、適切な投薬ステップを、最も適切な順序または順番で配置すること要求されることを示し得る。ユーザに適切な命令を提供するために、例えば、ビデオが、画面６４２上で実行され得る。ユーザが、サブミットボタン６４４を押したとき、ステップ５１６において、機械１００は、ネットワーク１１４を介して、ＣＢＬプログラムまたはアプリケーションのラインアクセスプロセス部分を開始するための要求を受信し、要求に応答して、機械１００は、図４４および図４５に示されるような、ＩＶアクセスを獲得するために利用され得る、複数の例示的なラインアクセスプロセスステップを含む、メインラインアクセスプロセスメニューをユーザに提示する。
【００８２】
ラインアクセスプロセス中、ユーザは、５１８において、図４４および図４５に示されるように、適切な番号が付けられたプロセスステップロケーションに、各プロセスステップをクリック、ドラッグ、およびドロップすることによって、最も適切な順番で、複数のプロセスステップを位置付け、または配置する。例えば、機械１００は、例えば、ディスプレイ７０上に、順番通りでない列挙で、「ハブを洗浄」、「キャップを配置」、「投薬」、「生理食塩水で水洗」、および／または「ラインをロック」を含む、ラインアクセスプロセスの様々なステップを表示し得る。ユーザは、その後、ディスプレイ７０上に表示された、番号が付けられたラインアクセスプロセスステップ位置内に、最も適切な順番で、ラインアクセスプロセスステップを適切に配置することを要求される。選択されたラインアクセスプロセスステップは、ディスプレイ７０上に表示された適切なボタンを使用して、追加または削除されることができる。例示的な実施形態においては、ラインアクセスプロセスステップのうちの１つまたは複数は、適切なラインアクセスプロセス中に、２回以上必要とされ得る。図４５に示されるように、ラインアクセスプロセスステップが、最も適切な順番であるとユーザが信じる順番で位置付けられると、ユーザは、サブミットボタン６４６を押す。例示的な実施形態においては、ユーザが、サブミットボタン６４６を押したとき、ステップ５２０において、機械１００は、ネットワーク１１４を介して、最も適切な順次的ラインアクセスプロセスステップのユーザの選択の再検討を開始するための要求を受信し、要求に応答して、機械１００は、図４６に示されるような、「Ｎｅｘｔ」ボタン６５０を含む画面６４８を、ユーザに提示し、（ａ）ユーザが、選択された人物プロファイルで識別される人のためのＩＶアクセスを獲得するために、最も適切なアクセス部位を選択したかどうか、（ｂ）ユーザが、選択された人物プロファイルで識別される人のためのＩＶアクセスを獲得するために、１つまたは複数の製品カテゴリについて、最も適切な製品を選択したかどうか（図２９〜図４２を参照）、および／または（ｃ）ユーザが、ＩＶアクセスを獲得するために利用される最も適切な順次的ラインアクセスステップを選択したかどうか（図４３〜図４５を参照）を学習するために、ユーザが、ＣＢＬプログラムまたはアプリケーションを続行することを可能にする。
【００８３】
ある実施形態においては、ユーザが、最も適切な順番であるとユーザが信じる順番で、ラインアクセスプロセスステップをひとたび配置すると、機械１００は、次のステップに進むために、選択された腕（すなわち、右腕または左腕）上の選択された挿入部位（例えば、肘前挿入部位、前腕挿入部位、手首挿入部位、または手挿入部位）に、ステッカ５０を位置付けるように、ユーザに命令する。ある例示的な実施形態においては、機械１００は、選択された挿入部位におけるステッカ５０の配置を示す、ユーザインターフェースを表示する。
【００８４】
例示的な実施形態においては、ステップ５２２において、機械１００は、ユーザのカテーテル組み立て、および選択されたラインアクセスプロセスステップの列挙の結果を、ディスプレイ７０（または機械１００に動作可能に結合された別の適切なディスプレイ）上に表示する。どのユーザ選択も、最も適切である場合、すなわち、カテーテルが、適切に組み立てられ、ラインアクセスプロセスステップの列挙が、最も適切な順番であった場合、機械１００は、図４７に示されるような、「Ｇｒｅａｔ  Ｊｏｂ！」など、正の強化のための祝辞応答を、ディスプレイ７０の画面６５２上に表示する。ある実施形態においては、ディスプレイ７０は、「カテーテル挿入」ベストプラクティスビデオ、もしくは「カテーテルアクセスおよびメンテナンス」ベストプラクティスビデオなど、ベストプラクティスビデオを見るための、および／または次のステップに進むためのリンクを含み得る。
【００８５】
しかしながら、１つまたは複数の選択またはプロセスステップが、最も適切でなかった場合、機械１００は、図４８に示されるような、ディスプレイ７０の選択再検討画面６５４を表示する。選択再検討画面６５４は、ユーザが行った選択が、次の画面上に現れること、および選択のうちの１つまたは複数が、準最適な選択と見なされることを示し得る。ある実施形態においては、準最適な選択は、図４９に示されるように、選択再検討画面６５６上において、強調表示、または縁取り、例えば、ピンクで縁取りされる。選択再検討画面は、これらの選択がなぜ準最適な選択と見なされるのかに関するより多くの情報へのアクセスを提供する、情報アイコンを含み得る。
【００８６】
図４９をさらに参照すると、ユーザの選択、例えば、ロケーション選択、トレイ選択、および／またはプロセス選択が、選択再検討画面６５６上に表示される。この実施形態においては、準最適な選択は、適切な色、例えば、ピンクで縁取りされる。各準最適選択は、特定の選択がなぜ準最適と見なされるのかに関するより多くの情報へのリンクを提供する、情報アイコンも含む。例えば、図４９においては、選択再検討画面６５６は、ピンク色の縁取りによって示されるように、準最適な選択と見なされる、「洗浄」ラインアクセスプロセス選択６５８を含む。「洗浄」ラインアクセスプロセス選択６５８は、情報アイコン６６０も含む。ユーザが、情報アイコン６６０をクリックした場合、図５０に示されるような、準最適選択画面６６２が、ディスプレイ７０上に表示される。例示的な実施形態においては、準最適選択画面６６２は、ラインアクセスプロセスステップおよび投薬プロセスステップを最適化するための、１つもしくは複数の命令、および／または１つもしくは複数の推奨を含む。
【００８７】
図５１〜図５３を参照すると、例示的な実施形態においては、本明細書において説明されるような追加の画面において、機械１００は、５２４において、１つまたは複数の不適切な選択と関連付けられた合併症を、もしあれば、ディスプレイ７０の画面上に表示する。図５１を参照すると、ユーザが、選択された人物プロファイルに基づいて、カテーテルを誤って選択した場合、機械１００は、対応する人物プロファイルについての、ユーザの製品および／もしくはプラクティス選択の潜在的な結果、ならびに／またはユーザの製品および／もしくはプラクティス選択と関連付けられた合併症について学習するために、機械１００をステッカ５０上に配置するように、ユーザに命令する。例えば、ある例示的な実施形態に従うと、ユーザが、例えば、第１の人物プロファイル６１２で識別される人のＩＶアクセスを獲得するための状況下において、誤ったカテーテルを選択した場合、機械１００は、誤ったカテーテル選択の結果としての潜在的な合併症を、ディスプレイ７０上に表示する。例えば、図５１をさらに参照すると、準最適なカテーテルを選択したことは、血管外漏出、浸潤、および／または脱落など、１つまたは複数の合併症をもたらし得る。この場合、機械１００は、誤ったカテーテル選択の結果としての潜在的な合併症を、ディスプレイ７０上に表示する。例示的な実施形態においては、ＡＲ技法を利用すると、機械は、開示された実施形態の拡張現実態様を提供および操作するように構成された、図５１に示される１つまたは複数のスライダボタン６６３Ａ、６６３Ｂ、６６３Ｃなど、適切なアクチュエータを含む。例えば、ある実施形態においては、機械は、例えば、刺激、炎症、および／もしくは感染を示す、様々な皮膚の色合い、人の血管系の様々な深さ、ならびに／またはスライダボタンがユーザによって操作されたときに開始し、進行する、合併症、例えば、血管外漏出、浸潤、および／もしくは脱落のタイムラプス画像など、データアイテムを提供するように構成される。
【００８８】
ユーザが、血管外漏出についてより多く学習することを選択した場合、ある例示的な実施形態においては、機械１００の処理デバイスは、血管外漏出を示す人の腕のグラフィカル画像をレンダリングし、ディスプレイ７０は、グラフィカル画像を、ユーザインターフェース上に表示する。これらの実施形態においては、ユーザインターフェースは、ユーザが血管外漏出を選択したことを示し、「血管外漏出」を、周囲組織へのびらん性もしくは腐食性溶液の不注意な漏出として定義する、情報テキスト、および／または血管外漏出の影響を例示する、追加のグラフィカル画像を含み得る。情報テキストは、例えば、他の合併症と同様に、カテーテルの配置および物理的属性が、血管外漏出の比率において役割を果たすことも示し得る。情報テキストは、浸潤とは異なり、びらん性の血管外漏出が、注入されている溶液の薬理学的特性のせいで、進行性の組織損傷を引き起こすこと、ならびに／または早期の同定および介入が、深刻な有害転帰の予防に重要であることも示し得る。
【００８９】
ユーザが、浸潤についてより多く学習することを選択した場合、ある例示的な実施形態においては、機械１００の処理デバイスは、浸潤を示す人の腕のグラフィカル画像をレンダリングし、ディスプレイ７０は、グラフィカル画像を、ユーザインターフェース上に表示する。これらの実施形態においては、ユーザインターフェースは、ユーザが浸潤を選択したことを示し、「浸潤」を、カテーテルの静脈壁内への侵食もしくは静脈壁の貫通からもたらされる、周囲組織への非びらん性溶液の不注意な漏出として定義する、情報テキスト、および／または浸潤の影響を例示する、追加のグラフィカル画像を含み得る。情報テキストは、例えば、浸潤が、最も一般的なカテーテル合併症であることも示し得る。情報テキストは、最も高い可能性として、貧弱な静脈壁健常性をもたらす外傷を引き起こす、血管壁に対するカニューレ先端の動きのせいで、屈曲領域（例えば、肘前挿入部位または手首挿入部位）に配置された末梢ＩＶが、浸潤のより高い率を有する傾向があることも示し得る。
【００９０】
ユーザが、脱落についてより多く学習することを選択した場合、ある例示的な実施形態においては、機械１００の処理デバイスは、脱落を示す人の腕のグラフィカル画像をレンダリングし、ディスプレイ７０は、グラフィカル画像を、ユーザインターフェース上に表示する。これらの実施形態においては、ユーザインターフェースは、ユーザが脱落を選択したことを示し、「脱落」を、カテーテルが衣服に引っ掛かったこと、もしくは固定が貧弱だったカテーテルなど、様々な理由のために発生することができる、カテーテルの意図しない外れとして定義する、情報テキスト、および／または脱落の影響を例示する、追加のグラフィカル画像を含み得る。情報テキストは、例えば、専用の固定デバイスを選択することが、カテーテル脱落を減らすことに直接的な効果を有し、カテーテル寿命を改善することにおいて著しい利益を示したことも示し得る。
【００９１】
同様に、図５２をさらに参照すると、ユーザが、選択された人物プロファイルに基づいて、コネクタを誤って選択した場合、機械１００は、対応する人物プロファイルについての、ユーザの製品および／もしくはプラクティス選択の潜在的な結果、ならびに／またはユーザの製品および／もしくはプラクティス選択と関連付けられた合併症について学習するために、ステッカ５０上に機械１００を配置するように、ユーザに命令する。例えば、ある実施形態に従うと、ユーザが、誤ったコネクタを選択した場合、機械１００は、例えば、静脈炎および／または閉塞を含む、誤ったコネクタ選択の結果としての潜在的な合併症を表示する。例示的な実施形態においては、機械は、開示された実施形態の拡張現実態様を提供および操作するように構成された、図５２に示される１つまたは複数のスライダボタン６６４Ａ、６６４Ｂ、６６４Ｃなど、適切なアクチュエータを含む。
【００９２】
加えて、ユーザが、選択された人物プロファイルに基づいて、ドレッシングを誤って選択した場合、機械１００は、対応する人物プロファイルについての、ユーザの製品および／もしくはプラクティス選択の潜在的な結果、ならびに／またはユーザの製品および／もしくはプラクティス選択と関連付けられた合併症について学習するために、ステッカ５０上に機械１００を配置するように、ユーザに命令する。例えば、ある実施形態に従うと、ユーザが、誤ったドレッシングを選択した場合、機械１００は、例えば、静脈炎および／または脱落を含む、誤ったドレッシング選択の結果としての潜在的な合併症を表示する。ユーザが、選択された人物プロファイルに基づいて、延長セットを使用するかどうかを誤って選択した場合、機械１００は、対応する人物プロファイルについての、ユーザの製品および／またはプラクティス選択と関連付けられた潜在的な結果および／または合併症について学習するために、ステッカ５０上に機械１００を配置するように、ユーザに命令する。例えば、ある実施形態に従うと、ユーザが、延長セットを使用すること、または使用しないことを誤って選択した場合、機械１００は、例えば、浸潤、静脈炎、および／または脱落といった潜在的な結果を含む、誤った選択の結果としての潜在的な合併症を表示する。
【００９３】
図５３をさらに参照すると、ユーザが、ラインアクセスプロセスステップのうちの１つまたは複数を誤って選択した場合、機械１００は、ユーザの製品および／またはプラクティス選択と関連付けられた潜在的な結果および／または合併症について学習するために、ステッカ５０上に機械１００を配置するように、ユーザに命令する。例えば、ある実施形態に従うと、ユーザが、ラインアクセスプロセスステップのうちの１つまたは複数を誤って選択した場合、機械１００は、例えば、血管外漏出、浸潤、脱落、静脈炎、閉塞といった潜在的な結果を含む、誤った選択の結果としての潜在的な合併症、および／または発生し得る他の潜在的な合併症を表示する。
【００９４】
例示的な実施形態においては、ユーザが、好ましくないまたは準最適なカテーテル配置または挿入部位を選択した場合、プロセッサ７０２などの、機械１００の処理デバイスは、選択された腕の第１のグラフィカル画像をレンダリングし、ディスプレイ７０は、グラフィカル画像を、ユーザインターフェース上に表示する。ユーザインターフェースは、ユーザが好ましくない挿入部位を選択したことをユーザに示す、情報テキストを含み得る。情報テキストは、肘前挿入部位または手首挿入部位などの屈曲領域に配置されたカテーテルは、機械的な合併症につながる関節の屈曲のせいで、より高い失敗率になる傾向があることを示すインジケーションも含み得る。情報テキストは、触診で屈曲領域および痛み領域を回避するためのベストプラクティスも示し得る。情報テキストは、手挿入部位が、著しくより高い率の偶発的な外れおよび閉塞に結び付けられていることも示し得る。
【００９５】
ディスプレイ７０は、選択された好ましくない挿入部位と関連付けられた、１つまたは複数の合併症も表示し得る。例えば、ユーザインターフェースは、失敗の理由、ならびに／または静脈炎、感染、血管外漏出、脱落、閉塞、および／もしくは浸潤など、好ましくない腕にＩＶカテーテルを挿入したことと関連付けられた合併症を示し得る。追加の教育的ガイダンスを提供するために、機械１００は、選択された合併症に関するさらなる情報のために、示された合併症のうちの１つを選択するように、ユーザに促す。例示的な実施形態においては、機械１００の処理デバイスは、選択された合併症を示す、人の腕のグラフィカル画像をレンダリングし、ディスプレイ７０は、グラフィカル画像を、ユーザインターフェース上に表示する。ユーザインターフェースは、どの合併症が選択されたか、合併症の定義、および／または選択された合併症と関連付けられたリスクのインジケーションを示す、情報テキストを含み得る。
【００９６】
例えば、ユーザが、静脈炎についてより多く学習することを選択した場合、ある例示的な実施形態においては、機械１００の処理デバイスは、静脈炎を示す、人の腕のグラフィカル画像をレンダリングし、ディスプレイ７０は、グラフィカル画像を、ユーザインターフェース上に表示する。ユーザインターフェースは、ユーザが静脈炎を選択したことを示し、「静脈炎」を、機械的、化学的、および／もしくは細菌性刺激のせいで、カニューレを挿入された静脈に沿って発生することができる、静脈の炎症として定義する、情報テキスト、ならびに／または静脈炎の影響を例示する、追加のグラフィカル画像を含み得る。情報テキストは、カニューレの動きによる血管壁の刺激に起因する、屈曲点における増加など、静脈炎と関連付けられたリスクも示し得る。
【００９７】
機械１００が、誤った選択、ならびに１つまたは複数の誤った選択からもたらされる合併症および／または潜在的なリスクを、ひとたびユーザに表示すると、機械１００は、ユーザがその患者について再びトライしたいかどうか、および／またはユーザが最適な選択を見たいかどうかについてのユーザへの問い合わせを、図５４に示されるように、画面６６５上に表示する。ユーザは、その人についてのより良い結果をどのようにして達成するかを学習するために、ＣＢＬプログラムまたはアプリケーションを続行することを決定し得る。ユーザが、より多く学習することに関心がない場合、ＣＢＬプログラムまたはアプリケーションは、閉じられる。一実施形態においては、機械１００は、適切なサイト、例えば、アプリケーション評価の結果を提供するマイクロサイトへのリンクを、ユーザに提供し、および／またはユーザが完了すべき調査を提供する、適切なサイトもしくはマイクロサイトにユーザを向かわせる。
【００９８】
図５５Ａ、図５５Ｂ、および図５６を参照すると、例示的な実施形態に従った再検討プロセス中に、機械１００は、選択された人物プロファイルで識別される人について、ＩＶアクセスを適切に獲得するための最適な選択を表示する。例えば、機械１００は、最適な選択が表示されることを示す、図５５Ａおよび図５５Ｂに示されるような、画面６６６を表示し得る。画面６６６は、選択再検討プロセス中に最適な選択を学習するために、ユーザが、ＣＢＬプログラムまたはアプリケーションを続行することを可能にする、図５５Ｂに示されるような、「Ｎｅｘｔ」ボタン６６８を含む。ユーザが、「Ｎｅｘｔ」ボタン６６８を押したとき、ステップ５２６において、機械１００は、ネットワーク１１４を介して、選択された人物プロファイルと関連付けられた最適な選択の再検討を開始するための要求を受信する。図５６に示されるように、機械１００は、最も適切な選択、例えば、最も適切なロケーション選択、最も適切なトレイ選択、および最も適切なプロセス選択を含む、選択再検討画面６７０を、ディスプレイ７０上に表示する。ある実施形態においては、最適または最も適切な選択は、選択再検討画面６７０上において、強調表示、または縁取り、例えば、青緑で縁取りされる。図５７に示されるように、再検討プロセスが完了した後、機械１００は、例えば、ユーザが調査を完了し、および／またはアプリケーションを評価したいかどうかを、ユーザに問い合わせる、画面６７２を表示し得る。ユーザが、調査を完了するための、またはアプリケーションを評価するためのリンクを選択しない場合、アプリケーションは、５２８において、終了する。
【００９９】
例示的な実施形態においては、結果ベース学習アプリケーションの使用は、ユーザが、選択顧客をターゲットにして、狙いを定めたメッセージングを用いることを可能にするための、メトリックを収集する（例えば、顧客Ｘは、アプリケーションのカテーテル選択部分において、過度により多くの準最適な選択を行い、または過度により多くの時間を費やしており、狙いを定めた教育／販売メッセージングは、カテーテル選択に焦点を絞る）。
【０１００】
例示的な実施形態においては、アプリケーションは、スケジューリングおよび設備制約を克服する助けとなり、また挿入コンピテンシを強化する助けとなる、看護師および／または研修医が、ＩＶの挿入および／またはメンテナンスについて学習するためのシミュレーションラボとして役立つように、仮想現実（ＶＲ）または複合現実（ＭＲ）環境を使用する。
【０１０１】
例示的な実施形態においては、アプリケーションは、アプリケーションレバレッジ、ある実施形態においては、拡張現実、仮想現実、および／または複合現実技術を介して、機械と通信することができる、システムに組み込まれた、またはシステムに動作可能に結合された超音波技術を含む。これは、人の実際の血管系に基づいた、カスタマイズされたトレーニングを可能にすることができる。これは、超音波でガイドされる挿入のサポートも可能にすることができる。
【０１０２】
例示的な実施形態においては、アプリケーションは、ユーザのグループまたはコミュニティが、ＩＶアクセスが困難な人においてカテーテル挿入に成功した、彼らの手法を示すために、ビデオ、写真、および／またはＶＲ／ＭＲビデオを撮影することを可能にする。これは、ＤＶＡ挿入技法に関するトレーニングおよび教育をサポートするための、コミュニティが発信元のコンテンツおよび／またはケーススタディのライブラリを構築する。
【０１０３】
例示的な実施形態においては、アプリケーションは、画像ライブラリと比較することによって、血管アクセスデバイス部位画像を照合することによって、より良い部位評価を可能にし、早期のリスク識別および軽減準備を可能にする。
【０１０４】
例示的な実施形態においては、アプリケーションは、挿入トレーニングおよび実際のカテーテル挿入に役立つ、触覚フィードバックを可能にするために、仮想現実および／または複合現実技術を使用する。
【０１０５】
例示的な実施形態においては、アプリケーションは、ユーザのコミュニティが、ベストプラクティスの知識、ベストプラクティスの順守、トレーニングドリルなどにおいて、互いに競争することを可能にすることによって、血管アクセス、ならびにトレーニングおよび教育を「ゲーム化」する。このアプリケーションは、看護学校において使用され得る（看護学校がそれを達成する時間または設備を現在有していない血管アクセスおよびケアを、看護学校が教えることを可能にする）。アプリケーションは、また、以下のものと組み合わされ得、アプリケーションは、ユーザ入力されたデータが、臨床医が、ＩＶ部位を何回評価したか、臨床医が、皮膚消毒後、適正な乾燥時間を可能にした場合、臨床医が、ベストプラクティスによってラインを水洗した場合、臨床医が、ハブを洗浄し、適正な乾燥時間を可能にした場合、臨床医が、針を刺す試みを何回体験したか、および／または臨床医が、望まれるよりも早くカテーテルを引き抜くことを何回必要としたかについて、臨床医が追跡することを助けることを可能にする。これは、早期評価のための報酬システム、および／もしくはＩＶ成功の個人ダッシュボードを提供し、ならびに／またはアプリケーションは、上で列挙されたものについての、ＩＤＮ内およびＩＤＮ間におけるベンチマークを可能にする。
【０１０６】
例示的な実施形態においては、アプリケーションは、血管アクセスおよびメンテナンスに関する、人および／または介護人教育を提供する。これは、急性治療から、非急性治療および／または在宅環境への人の移行に役立つ。システムは、ＩＤＮが、ポピュレーションヘルス管理を通して、ＩＤＮのリスクプールを管理することを可能にするために、使用メトリックを追跡し得る。
【０１０７】
例示的な実施形態においては、アプリケーションは、血管アクセスデバイス選択の適切な選択を可能にするための、チェックリストおよび／またはテクニカルサポートを含む。
【０１０８】
図５８は、いくつかの実施形態に従った、例示的な機械１００の例示的な選択コンポーネントを例示している。機械１００は、本明細書において説明される技法に従って、マップの表示を制御するための、プロセッサ７０２およびメモリ（例えば、コンピュータ可読媒体７０４）を含む、数々の異なるタイプの電子デバイスのいずれかとして実施され得る。
【０１０９】
様々な構成において、機械１００は、少なくとも１つの制御論理回路、中央処理ユニット、もしくは処理デバイス（「プロセッサ」）７０２、および１つもしくは複数のコンピュータ可読媒体７０４（例えば、メモリ）などの、コンポーネントを含み、またはコンポーネントにアクセスする。各プロセッサ７０２は、それ自体が、１つまたは複数のプロセッサまたは処理コアを備え得る。例えば、プロセッサ７０２は、１つまたは複数のマイクロプロセッサ、マイクロコンピュータ、マイクロコントローラ、デジタル信号プロセッサ、中央処理ユニット、状態機械、論理回路、および／または動作命令に基づいて信号を操作する任意のデバイスとして、実施されることができる。いくつかのケースにおいては、プロセッサ７０２は、本明細書において説明されるアルゴリズムおよびプロセスを実行するように、特別にプログラムまたは構成された、任意の適切なタイプの１つまたは複数のハードウェアプロセッサおよび／または論理回路であり得る。プロセッサ７０２は、コンピュータ可読媒体７０４または他のコンピュータ可読媒体内に記憶された、コンピュータ可読命令をフェッチして実行するように、構成されることができる。プロセッサ７０２は、機械１００に帰される、ならびに特に、レンダリング回路１０２、ネットワークインターフェース回路１０４、および／またはユーザインターフェース回路１１０に帰される機能のうちの１つまたは複数を実行することができる。
【０１１０】
機械１００の構成に応じて、コンピュータ可読媒体７０４は、有形な非一時的コンピュータ記憶媒体の例であり得、コンピュータ可読命令、データ構造、プログラムモジュール、または他のデータなどの情報を記憶するための、任意のタイプの技術で実施された、揮発性および不揮発性メモリ、ならびに／またはリムーバブルおよび非リムーバブル媒体を含み得る。コンピュータ可読媒体７０４は、限定されることなく、ＲＡＭ、ＲＯＭ、ＥＥＰＲＯＭ、フラッシュメモリ、もしくは他のコンピュータ可読媒体技術、ＣＤ−ＲＯＭ、デジタル多用途ディスク（ＤＶＤ）、もしくは他の光ストレージ、磁気カセット、磁気テープ、ソリッドステートストレージ、および／または磁気ディスクストレージを含み得る。さらに、いくつかのケースにおいては、機械１００は、ＲＡＩＤストレージシステム、ストレージアレイ、ネットワーク接続されたストレージ、ストレージエリアネットワーク、クラウドストレージ、または情報を記憶するために使用されることができ、プロセッサ７０２によって、直接的に、もしくは別のコンピューティングデバイスもしくはネットワークを通して、アクセスされることができる、他の任意の媒体など、外部ストレージにアクセスし得る。したがって、コンピュータ可読媒体７０４は、プロセッサ７０２によって実行され得る、命令、モジュール、またはコンポーネントを記憶することができる、コンピュータ記憶媒体であり得る。
【０１１１】
コンピュータ可読媒体７０４は、プロセッサ７０２によって実行可能な、任意の数の機能コンポーネントを記憶および維持するために、使用され得る。いくつかの実施においては、これらの機能コンポーネントは、プロセッサ７０２によって実行可能であり、実行されたときに、上で機械１００に帰されたアクションを実行するための動作ロジックを実施する、命令またはプログラムを含む。コンピュータ可読媒体７０４内に記憶された、機械１００の機能コンポーネントは、機械１００の様々な機能を制御および管理するための、また機械１００のディスプレイデバイス１０８上に、１つまたは複数のユーザインターフェースを生成するための、オペレーティングシステムおよびユーザインターフェースモジュール７０６を含み得る。
【０１１２】
加えて、コンピュータ可読媒体７０４は、機能コンポーネントによって使用される、データ、およびデータ構造なども記憶し得る。例えば、コンピュータ可読媒体７０４によって記憶されるデータは、ユーザ情報と、任意選択で、１つまたは複数のコンテンツアイテム７０８とを含み得る。機械１００のタイプに応じて、コンピュータ可読媒体７０４は、任意選択で、プログラムおよびドライバなど、ならびに機能コンポーネントによって使用されるデータを含み得る、他のモジュールおよびデータ７１０などの、他の機能コンポーネントおよびデータを含み得る。さらに、機械１００は、多くの他の論理コンポーネント、プログラムコンポーネント、および物理コンポーネントを含み得、それらのうちの説明されるコンポーネントは、本明細書の説明に関連する単なる例にすぎない。さらに、図は、機械１００の機能コンポーネントおよびデータを、機械１００上に存在し、機械１００上のプロセッサ７０２によって実行されるものとして示しているが、これらのコンポーネントおよび／またはデータは、任意の方式で、異なるコンピューティングデバイスおよびロケーションにわたって分散され得ることが理解されるべきである。
【０１１３】
図５８は、さらに、機械１００内に含まれ得る、他のコンポーネントの例を例示している。そのような例は、例えば、ディスプレイデバイス１０８、ＧＰＳデバイス７１２、加速度計７１４、１つもしくは複数のカメラ７１６、コンパス７１８、ジャイロスコープ７２０、および／またはマイクロフォン７２２を含み得る、様々なタイプのセンサを含む。ディスプレイデバイス１０８は、ＬＣＤディスプレイ、コレステリックディスプレイ、電気泳動ディスプレイ、電気流体ピクセルディスプレイ、フォトニックインクディスプレイ、またはエレクトロウェッティングディスプレイパネルであり得る。
【０１１４】
機械１００は、さらに、ネットワークインターフェース回路１０４の構造および機能の全部または一部を含み得る、１つまたは複数の通信インターフェース７２４を含み得る。通信インターフェース７２４は、例えば、セルラネットワーク、無線、Ｗｉ−Ｆｉネットワーク、近距離無線接続、ニアフィールド接続、赤外線信号、ローカルエリアネットワーク、ワイドエリアネットワーク、および／またはインターネットなど、様々なネットワークへの有線接続および無線接続の両方をサポートし得る。通信インターフェース７２４は、さらに、ユーザが、リモートコンピューティングデバイスなどの別のデバイス上の、ネットワーク接続ストレージデバイスもしくはクラウドストレージなどのストレージに、または別のデバイスを通して、ネットワーク接続ストレージデバイスもしくはクラウドストレージなどのストレージにアクセスすることを可能にし得る。加えて、通信インターフェース７２４は、機械１００の様々な要素、コンポーネント、および回路部分の間の相互通信を達成するための、システムバスを含み得る。例示的なシステムバスの実装形態は、周辺コンポーネント相互接続エクスプレス（ＰＣＩｅ）、シリアルアドバンストテクノロジアタッチメントまたはパラレルアドバンストテクノロジアタッチメント（ＳＡＴＡまたはＰＡＴＡ）、および統合ドライブエレクトロニクス（ＩＤＥ）ベースのバスを含む。
【０１１５】
機械１００は、さらに、１つまたは複数のスピーカ７２６と、様々な他の入力／出力（Ｉ／Ｏ）コンポーネント７２８を備え得る。Ｉ／Ｏコンポーネント７２８は、ユーザインターフェース回路１１０の一部を形成し得る。そのようなＩ／Ｏコンポーネント７２８は、例えば、タッチスクリーンおよび様々なユーザコントローラ（例えば、ボタン、ジョイスティック、キーボード、および／もしくはキーパッド）、力覚または触覚出力デバイス、接続ポート、ならびに／または体調センサを含み得る。例えば、機械１００のオペレーティングシステム７０６は、Ｉ／Ｏコンポーネント７２８として含まれる、キーパッド、キーボード、または他のユーザコントロールおよびデバイスから入力を受け入れるように構成された、適切なドライバを含み得る。加えて、機械１００は、図示されていない様々な他のコンポーネントを含み得、それらの例は、リムーバブルストレージ、バッテリおよび電力制御ユニットなどの電源、ならびに／またはＰＣカードコンポーネントを含む。本明細書において説明される様々な命令、方法、および技法は、コンピュータ記憶媒体上に記憶され、本明細書におけるプロセッサによって実行される、プログラムモジュールなど、コンピュータ実行可能命令の一般的な文脈において考察され得る。一般に、プログラムモジュールは、例えば、特定のタスクを実行するための、または特定の抽象データ型を実施するための、ルーチン、プログラム、オブジェクト、コンポーネント、および／またはデータ構造を含む。これらのプログラムモジュールなどは、ネイティブコードとして実行され得、または仮想機械もしくは他の実行時コンパイル実行環境などにおいて、ダウンロードおよび実行され得る。一般に、プログラムモジュールの機能は、様々な実施において望まれるように、組み合わされ、または分散され得る。これらのモジュールおよび技法の実施は、コンピュータ記憶媒体上に記憶され、または何らかの形態の通信を介して送信され得る。
【０１１６】
上で説明された方法、デバイス、処理、回路、構造、アーキテクチャ、およびロジックは、多くの異なる方法で、ならびにハードウェアおよびソフトウェアの多くの異なる組み合わせで、実施され得る。例えば、実施の全部または一部は、中央処理ユニット（ＣＰＵ）、マイクロコントローラ、もしくはマイクロプロセッサなどの、または、特定用途向け集積回路（ＡＳＩＣ）、プログラマブルロジックデバイス（ＰＬＤ）、もしくはフィールドプログラマブルゲートアレイ（ＦＰＧＡ）などの、または、アナログ回路コンポーネント、デジタル回路コンポーネント、もしくは両方を含む、個別ロジックもしくは他の回路コンポーネントを含む回路などの、またはそれらの任意の組み合わせの、命令プロセッサを含む回路であり得る。回路は、個別の相互接続されたハードウェアコンポーネントを含み得、または例として、単一の集積回路ダイ上において組み合わされ、複数の集積回路ダイにわたって分散され、または共通パッケージ内の複数の集積回路ダイのマルチチップモジュール（ＭＣＭ）で実施され得る。
【０１１７】
したがって、回路は、命令を記憶し、もしくは実行のために命令にアクセスし得、または回路の機能をハードウェアだけで実施し得る。命令は、フラッシュメモリ、ランダムアクセスメモリ（ＲＡＭ）、リードオンリメモリ（ＲＯＭ）、消去可能プログラム可能リードオンリメモリ（ＥＰＲＯＭ）などの、一時的信号以外の有形な記憶媒体を含み得る、１つもしくは複数の非一時的コンピュータ可読媒体内に、またはコンパクトディスクリードオンリメモリ（ＣＤＲＯＭ）、ハードディスクドライブ（ＨＤＤ）、もしくは他の磁気ディスクもしくは光ディスクなどの、磁気ディスクもしくは光ディスク上に、または別の機械可読媒体内もしくは媒体上に記憶され得る。コンピュータプログラム製品などの製品は、記憶媒体と、媒体内または媒体上に記憶された命令とを含み得、命令は、デバイス内の回路によって実行されたとき、上で説明され、または図面に例示された処理のいずれかを、デバイスに実施させ得る。コンピュータ可読媒体は、回路要素によって実行されたとき、本開示において説明される１つまたは複数のステップを含む方法を回路要素に実行させる、命令を含み得る。
【０１１８】
実施は、分散され得る。例えば、回路は、複数のプロセッサおよびメモリなど、複数の異なるシステムコンポーネントを含み得、複数の分散処理システムにまたがり得る。パラメータ、データベース、およびその他のデータ構造は、別々に記憶および管理され得、単一のメモリまたはデータベースに組み込まれ得、多くの異なる方法で論理的および物理的に編成され得、多くの異なる方法で実施され得る。例示的な実施は、リンクリスト、プログラム変数、ハッシュテーブル、配列、レコード（例えば、データベースレコード）、オブジェクト、および暗黙的な記憶メカニズムを含む。命令は、単一のプログラムの一部（例えば、サブルーチンまたは他のコードセクション）を形成し得、複数の別々のプログラムを形成し得、複数のメモリおよびプロセッサにわたって分散され得、多くの異なる方法で実施され得る。例示的な実施は、スタンドアロンプログラムを含み、ダイナミックリンクライブラリ（ＤＬＬ）のような共用ライブラリなどのライブラリの一部として含む。ライブラリは、例えば、共用データと、回路によって実行されたときに、上で説明された、または図面に例示された、処理のいずれかを実行する命令を含む、１つまたは複数の共用プログラムとを含み得る。
【０１１９】
本主題は、構造的特徴および／または方法論的行為に特有のことばで説明されたが、添付の特許請求の範囲において定義される本主題は、説明された特定の特徴または行為に必ずしも限定されないことが理解されるべきである。むしろ、特定の特徴および行為は、特許請求の範囲を実施する例示的な形態として開示される。当業者は、上述の説明に対する事実上無限の数のバリエーションが可能であること、ならびに例および添付の図は、実施の１つまたは複数の例を説明するだけであることを理解する。特許請求される本主題から逸脱することなく、様々な他の変更を行うことができ、均等物を代わりに用いることができることが、当業者には理解されるであろう。加えて、本明細書において説明される中心的概念から逸脱することなく、特定の状況を特許請求される本主題の教示に適合させるために、多くの変更が行われることができる。したがって、特許請求される本主題は、開示された特定の実施形態に限定されず、そのような特許請求される本主題は、添付の特許請求の範囲、およびその均等物の範囲内に含まれる、すべての実施形態も含むことができることが意図される。
【０１２０】
上述の詳細な説明において、特許請求される本主題の完全な理解を提供するために、多数の具体的な詳細が、説明された。しかしながら、特許請求される本主題は、これらの具体的な詳細なしで実施されることができることが、当業者には理解されるであろう。他の例においては、当業者によって知られている方法、デバイス、またはシステムは、特許請求される本主題を曖昧にしないように、詳細には説明されていない。
【０１２１】
「一実施形態」または「実施形態」への本明細書全体における言及は、特定の実施形態に関連して説明される特定の特徴、構造、または特性が、特許請求される本主題の少なくとも１つの実施形態内に含まれることができることを意味することができる。したがって、本明細書全体の様々な場所における「一実施形態において」または「実施形態」という句の出現は、同じ実施形態または説明される任意の１つの特定の実施形態に言及することを必ずしも意図するものではない。さらに、説明される特定の特徴、構造、または特性は、１つまたは複数の実施形態において、様々な方法で組み合わされることができることが理解されるべきである。もちろん、一般に、これらの問題点および他の問題点は、使用の特定の文脈とともに変化することができる。したがって、説明またはこれらの用語の使用の特定の文脈は、その文脈について引き出される推論に関して、有用なガイダンスを提供することができる。
【０１２２】
様々な実施が、具体的に説明された。しかしながら、多くの他の実施も、可能である。
【０１２３】
異なる実施形態のために本明細書において説明される特徴が、特許請求の範囲内にとどまりながら、互いに、および／または現在知られている、もしくは将来開発される技術と組み合わされ得ることを含めて、本明細書において明示的に例示されていない実施形態が、特許請求の範囲内で実施され得ることを、当業者は理解するであろう。本明細書においては、特定の用語が使用されるが、特定の用語は、もっぱら一般的かつ説明的な意味で使用され、文脈、使用、または他の明示的な指定による特段の定めがない限り、限定の目的では使用されない。したがって、上述の詳細な説明は、限定的ではなく、例示的であると見なされることが意図される。また、すべての均等物を含む、以下の特許請求の範囲は、本発明の主旨および範囲を明確にすることを意図していることが理解されるべきである。さらに、上で説明された利点は、必ずしも本発明の唯一の利点であるとは限らず、説明された利点のすべてが、どの実施形態を用いても達成されることは、必ずしも期待されない。参照によって含まれるいずれかの文書と対立する、何らかの矛盾する開示または定義が本出願にある場合には、本明細書における開示または定義が優先するものと見なされるべきである。
【図１】
2021524313.tif 000003
【図２】
2021524313.tif 000004
【図３Ａ】
2021524313.tif 000005
【図３Ｂ】
2021524313.tif 000006
【図３Ｃ】
2021524313.tif 000007
【図３Ｄ】
2021524313.tif 000008
【図４】
2021524313.tif 000009
【図５】
2021524313.tif 000010
【図６】
2021524313.tif 000011
【図７】
2021524313.tif 000012
【図８】
2021524313.tif 000013
【図９】
2021524313.tif 000014
【図１０】
2021524313.tif 000015
【図１０Ａ】
2021524313.tif 000016
【図１１】
2021524313.tif 000017
【図１１Ａ】
2021524313.tif 000018
【図１２】
2021524313.tif 000019
【図１２Ａ】
2021524313.tif 000020
【図１３】
2021524313.tif 000021
【図１３Ａ】
2021524313.tif 000022
【図１４】
2021524313.tif 000023
【図１４Ａ】
2021524313.tif 000024
【図１５】
2021524313.tif 000025
【図１５Ａ】
2021524313.tif 000026
【図１６】
2021524313.tif 000027
【図１７】
2021524313.tif 000028
【図１８】
2021524313.tif 000029
【図１９】
2021524313.tif 000030
【図２０】
2021524313.tif 000031
【図２１】
2021524313.tif 000032
【図２２】
2021524313.tif 000033
【図２３】
2021524313.tif 000034
【図２４】
2021524313.tif 000035
【図２５】
2021524313.tif 000036
【図２６】
2021524313.tif 000037
【図２７】
2021524313.tif 000038
【図２８】
2021524313.tif 000039
【図２９】
2021524313.tif 000040
【図３０】
2021524313.tif 000041
【図３１】
2021524313.tif 000042
【図３２】
2021524313.tif 000043
【図３３】
2021524313.tif 000044
【図３４】
2021524313.tif 000045
【図３５】
2021524313.tif 000046
【図３６】
2021524313.tif 000047
【図３７】
2021524313.tif 000048
【図３８】
2021524313.tif 000049
【図３９】
2021524313.tif 000050
【図４０】
2021524313.tif 000051
【図４１】
2021524313.tif 000052
【図４２】
2021524313.tif 000053
【図４３】
2021524313.tif 000054
【図４４】
2021524313.tif 000055
【図４５】
2021524313.tif 000056
【図４６】
2021524313.tif 000057
【図４７】
2021524313.tif 000058
【図４８】
2021524313.tif 000059
【図４９】
2021524313.tif 000060
【図５０】
2021524313.tif 000061
【図５１】
2021524313.tif 000062
【図５２】
2021524313.tif 000063
【図５３】
2021524313.tif 000064
【図５４】
2021524313.tif 000065
【図５５】
2021524313.tif 000066
【図５６】
2021524313.tif 000067
【図５７】
2021524313.tif 000068
【図５８】
2021524313.tif 000069
【図５９】
2021524313.tif 000070
【図６０】
2021524313.tif 000071
【図６１】
2021524313.tif 000072
【図６２】
2021524313.tif 000073
【図６３】
2021524313.tif 000074
【図６４】
2021524313.tif 000075
【図６５】
2021524313.tif 000076
【図６６】
2021524313.tif 000077
【図６７】
2021524313.tif 000078
【図６８】
2021524313.tif 000079
【図６９】
2021524313.tif 000080
【図７０】
2021524313.tif 000081
【図７１】
2021524313.tif 000082
【図７２】
2021524313.tif 000083
【図７３】
2021524313.tif 000084
【図７４】
2021524313.tif 000085
【図７５】
2021524313.tif 000086
【図７６】
2021524313.tif 000087
【図７７】
2021524313.tif 000088
【図７８】
2021524313.tif 000089
【図７９】
2021524313.tif 000090
【図８０】
2021524313.tif 000091
【図８１】
2021524313.tif 000092
【図８２】
2021524313.tif 000093
【図８３】
2021524313.tif 000094
【図８４】
2021524313.tif 000095
【図８５】
2021524313.tif 000096
【図８６】
2021524313.tif 000097
【図８７】
2021524313.tif 000098
【図８８】
2021524313.tif 000099
【図８９】
2021524313.tif 000100
【図９０】
2021524313.tif 000101
【図９１】
2021524313.tif 000102
【図９２】
2021524313.tif 000103
【図９３】
2021524313.tif 000104
【図９４】
2021524313.tif 000105
【図９５】
2021524313.tif 000106
【図９６】
2021524313.tif 000107
【図９７】
2021524313.tif 000108
【図９８】
2021524313.tif 000109
【図９９】
2021524313.tif 000110
【図１００】
2021524313.tif 000111
【図１０１】
2021524313.tif 000112
【図１０２】
2021524313.tif 000113
【図１０３】
2021524313.tif 000114
【図１０４】
2021524313.tif 000115
【図１０５】
2021524313.tif 000116
【図１０６】
2021524313.tif 000117
【図１０７】
2021524313.tif 000118
【図１０８】
2021524313.tif 000119
【図１０９】
2021524313.tif 000120
【図１１０】
2021524313.tif 000121
【図１１１】
2021524313.tif 000122
【図１１２】
2021524313.tif 000123
【図１１３】
2021524313.tif 000124
【図１１４】
2021524313.tif 000125
【図１１５】
2021524313.tif 000126
【図１１６】
2021524313.tif 000127
【図１１７】
2021524313.tif 000128
【図１１８】
2021524313.tif 000129
【図１１９】
2021524313.tif 000130
【図１２０】
2021524313.tif 000131
【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
末梢ＩＶ療法のための教育的ガイダンスを提供するためのコンピュータで実施される方法であって、
複数の人物プロファイルを含むメインメニューを、機械のディスプレイ上に表示するステップと、
前記複数の人物プロファイルのうちの１つの人物プロファイルを選択するように、前記機械によって、ユーザに促すステップと、
前記選択された人物プロファイルに基づいて、人の付属肢上の複数の挿入部位から、挿入部位を選択するように、前記機械によって、前記ユーザに促すステップと、
複数の製品カテゴリから、第１の製品カテゴリを選択するように、前記機械によって、前記ユーザに促すステップと、
前記第１の製品カテゴリ内の複数の製品のうちの第１の製品を選択するように、前記機械によって、前記ユーザに促すステップであって、前記第１の製品は、前記選択された人物プロファイルに少なくとも部分的に基づいて、前記複数の製品のうちの最も適切な製品である、ステップと、
複数のラインアクセスプロセスステップを含む、メインラインアクセスプロセスメニューを、前記機械によって、前記ユーザに提示するステップと、
複数のラインアクセスプロセスステップを、最も適切な順番で、前記ディスプレイ上に表示された複数のラインアクセスプロセスステップロケーション内に配置するように、前記機械によって、前記ユーザに促すステップと、
前記最も適切な順番についての前記ユーザの選択の再検討を開始するように、前記機械によって、前記ユーザに促すステップと、
最も適切な選択ではない１つまたは複数の選択またはプロセスステップに応答して、前記ユーザの選択のうちの少なくとも１つが準最適な選択であると見なされることを示し、前記少なくとも１つのユーザの選択がなぜ前記準最適な選択であると見なされるかに関する、より多くの情報へのアクセスを提供する情報アイコンを表示する、選択再検討画面を、前記機械によって、表示するステップと、
前記選択された挿入部位の第１のグラフィカル画像を、前記機械の処理デバイスによって、レンダリングするステップと、
前記選択された挿入部位におけるステッカの配置を示す、第１のグラフィカル画像を含む、ユーザインターフェースを、前記ディスプレイ上に表示するステップと、
前記１つまたは複数の合併症のうちの少なくとも１つの合併症と前記少なくとも１つの合併症を示す前記人の腕の第２のグラフィカル画像を操作するように構成された１つまたは複数のアクチュエータとを示す前記人の腕の前記第２のグラフィカル画像を、前記処理デバイスによって、レンダリングするステップと、前記ユーザインターフェース上の、前記第２のグラフィカル画像、および前記１つまたは複数のアクチュエータを、前記ディスプレイ上に表示するステップと、によって、前記選択された挿入部位と関連付けられた１つまたは複数の合併症を、前記ディスプレイ上に表示するステップと、
前記１つまたは複数のアクチュエータのユーザーアクチュエーションに応答して、前記少なくとも１つの合併症を示す前記人の腕の前記第２のグラフィカル画像を操作するステップと、
を含む、コンピュータで実施される方法。
【請求項２】
前記１つまたは複数のアクチュエータは、前記人の腕の前記第２のグラフィカル画像において前記少なくとも１つの合併症を進展させるように構成された１つまたは複数のスライダボタンを含む請求項１に記載のコンピュータで実施される方法。
【請求項３】
前記少なくとも１つの合併症を示す前記人の腕の前記第２のグラフィカル画像を操作するステップは、前記少なくとも１つの合併症を示す前記人の腕の皮膚の色合いを変化させるステップを含む請求項１に記載のコンピュータで実施される方法。
【請求項４】
前記人の腕の前記皮膚の色合いを変化させるステップは、以下のもの、すなわち、刺激、炎症、感染、およびそれらの任意の組み合わせ、のうちの少なくとも１つを示す請求項３に記載のコンピュータで実施される方法。
【請求項５】
前記少なくとも１つの合併症を示す前記人の腕の前記第２のグラフィカル画像を操作するステップは、前記少なくとも１つの合併症を示す前記人の腕の血管系の深さを変化させるステップを含む請求項１に記載のコンピュータで実施される方法。
【請求項６】
前記少なくとも１つの合併症を示す前記人の腕の前記第２のグラフィカル画像を操作するステップは、前記少なくとも１つの合併症のタイムラプスを変化させるステップを含む請求項１に記載のコンピュータで実施される方法。
【請求項７】
前記少なくとも１つの合併症は、血管外漏出、浸潤、脱落、またはそれらの任意の組み合わせのうちの少なくとも１つを含む請求項６に記載のコンピュータで実施される方法。
【請求項８】
前記ユーザインターフェースは、前記少なくとも１つの合併症の定義と、前記少なくとも１つの合併症と関連付けられたリスクのインジケーションとを示す、情報テキストをさらに含む請求項１に記載のコンピュータで実施される方法。
【請求項９】
前記選択された第１の製品の前記製品カテゴリと関連付けられたウィンドウ内において前記選択された第１の製品を前記ディスプレイ上に表示するステップであって、前記ウィンドウは、前記選択された第１の製品を前記ウィンドウから取り除くように構成されたリムーブボタンとともに表示される請求項１に記載のコンピュータで実施される方法。
【請求項１０】
前記機械は、モバイルフォンを含む請求項１に記載のコンピュータで実施される方法。
【国際調査報告】
2021524313.tif 000132
2021524313.tif 000133